(57)【要約】【課題】従来のバーコードは、値段表示と商品分類が概ねで有り、携帯電話のバーコードリーダーに於いてはインターネットホームページ番号を、書き込むまでの作業までのバーコードリーダーしか市場に存在しなかった。【解決手段】財団使用のカラー異種異形バーコードは複数カラーバーコードの配列読み込みとカメラ内設置して有るカードに予めカラー異種異形バーコード外形ライン形状と内形ライン形状の全てのラインを、一度に読み込み複数カラーラインの読み込みを一度に行い同じ種類のカラー異種異形バーコードを認識して予め容易して有る財団の知的所有財産センターに直接無料インターネット画面接続に成る先駆けシステム。【選択図】図9
2013178853.tif 000002
【特許請求の範囲】
【請求項１】
本発明のカラー異種異形バーコードは、商品の先技術、例えば、テレビならば、何処の国の知的所有財産の発生国つまり、メードインジャパン等の、過去に於いての、文部科学省の商品に対しての著作権に於いての、先技術を、考えた人及び国そして、特許庁に於いての商品の特許権の国及び、先商品の発明者の氏名及び住所及び会社名及び電話番号及びインターネット連絡の為の書き込み掲示板及び特許権切れ後の、他国の、テレビ商品に対しての、技術の特許権文書図の紹介及び実用新案登録に関しての、商品の新技術の商品の構造技術及び、商品部材の納入先及び商品部材の原価表及び商品のデザイン登録及びデザインの著作権文章説明及び先に考案したデザイン者を、カラー異種異形バーコードの形状設定カメラシステムによって、カラー異種異形バーコードを翳すだけでカラー異種異形バーコードの知的所有財産総合センター特設のコンピューターに全自動アクセスして、カラー異種異形バーコードの種類をライトカメラの高出力CCDパネルセンサーによって、カメラの集光画像を、全自動カメラ高出力CCDパネルセンサーによってカラー色の組み合わせ順及びバーコードの形の形状を高出力CCDカメラセンサーのダイオード電子確認によって、カメラ本体の複数のカラー異種異形バーコードデーターカードによって、又は携帯電話のインターネットによって、知的所有財産センターの知的所有財産管理センターのコンピューターにアクセスして特許権及び審査請求内容及び、盗作作品及び、不正競争防止法に基づく国の検査の通過を経た作品なのかを一目で確認出来るカラー異種異形バーコードのライトカメラの商品知的所有財産データー全自動確認システム。
【請求項２】
本発明のカラー異種異形バーコードは、全世界の弱者一人一人の財団が管理する商品全てに対しての、自然環境保護と自然環境再生の為の、全自動植林管理を全自動植林ロボットによって、木材を徹底的に伐採せず育成に1000年超えを目指し、代わりに竹材と再生木材をチップの混合合成木材とし又は、竹乾燥チップの再生竹パネル及び再生竹柱などの一年で、成育可能な木材に変わる竹の材料管理及び全自動収穫伐採までの、カラー異種異形バーコードの自然環境育成の為の全自動ロボットシステムと土地の保護とカラー異種異形バーコードを主体とする生活全自動管理システムに基づく人と生活作りに係わるカラー異種異形バーコードのライトカメラの商品データー管理が出来るカラー異種異形バーコードの全自動システムのコンピューターデーター呼び出しと総合まとめデーターの取り出し確認システムを積載した請求項1記載のカラー異種異形バーコードカメラの全自動被写体形状確認認識表示システム。
【請求項３】
本発明のカラー異種異形バーコードは、木材の自然環境保護を目的とした知的所有財産管理は基より、木材の種類管理に基づく木材板及び海外木材板及び日本合板及び海外合板及び乾燥剤入り木材板及び乾燥剤入り木材柱及び防虫剤入り木材板及び防虫剤入り木材柱及び合成木材及び防腐剤入り木材に対しての、それぞれの木材の種類別の生産国採取伐採の年月日及び伐採者名データーと木材の害虫データーと木材の燃えるスピードデーターと木材の耐久度データーと木材の薬剤使用全データーと木材の再利用回数データーと木材の処理方法の炭再利用等のデーター及び燃えない木材データー及び木材の使用限界年数データーと木材の重さ乾燥度データーと木材の過去使用例データー等を、別々の管理システムから、木材商品専用のカラー異種異形バーコードのカメラのインターネット呼び出しによって、一つのデーター集合体として、知的所有財産の商品に対する番号説明と商品に対する植樹及び育成及び売買契約及び伐採及び搬送路及び害虫検査及び害虫の熱湯湯付け作業と瞬間木材乾燥処理過程及び買い取り業者の住所氏名連絡場所などが一度に解る商品の全行程全ての管理状況が解るカラー異種異形バーコードのライトカメラの商品知的所有財産データー全自動確認システムを積載した請求項1記載のカラー異種異形バーコードカメラの全自動被写体形状確認認識表示システム。
【請求項４】
本発明のカラー異種異形バーコードは、魚資源を、保護し全世界の弱者一人一人の財団が管理する商品全てに対しての安全と健康生活社会の魚の稚魚の陸地の地下全自動ロボット養殖場によっての、海洋資源の復活再生の為の市場の流通量の全自動ロボットの稚魚の育成槽の全自動掃除管理と育成槽の電気熱による熱湯消毒全自動管理と育成槽の送水の電気熱による熱湯消毒水による稚魚を魚の病気から守る全自動稚魚産卵受精から稚魚育成から成魚販売までを、全自動ロボットシステム管理出来る世界の全種類の魚データーを管理するカラー異種異形バーコードのライトカメラの商品知的所有財産データー魚の全自動育成販売確認システムを積載した請求項1記載のカラー異種異形バーコードカメラの全自動被写体形状確認認識表示システム。
【請求項５】
本発明のカラー異種異形バーコードは、魚資源を保護する事を目的とし、海魚及び海養殖魚及び陸地下の海養殖魚及び川魚及び湖魚及び川養殖魚の成育温度データーと海水透水光度数データーと魚を、取った方法データーと魚の捕れた海上山岳ヘリコプターGPSの海上地図位置データー及び衛星GPSの海上地図データーに基づく海魚の回遊ルートデーター作成と魚の内臓物検査データーと全自動波ライトカメラ計測データー魚の捕れた時間データーと海水のバクテリア全自動数値計測データーと海上海底地震磁波データーと海水の放射線度数データーに対する魚の種類による調査データーと魚の個体数データー全世界の海中魚の依存度数の状況データーの全ての公開を目的とした全種類の魚データーを管理するカラー異種異形バーコードのライトカメラの商品知的所有財産データー魚の全自動育成販売確認を、一度に全部確認出来る高速スクリュー電波送受信システムを積載した請求項1記載のカラー異種異形バーコードカメラの全自動被写体形状確認認識表示システム。
【請求項６】
本発明のカラー異種異形バーコードは、農業生活高齢者保護と農業土地の所有者保護を目的とした野菜の種類データーに対して、野菜の安全性を確保する為に、畑作野菜及びハウス野菜及び水耕野菜及び山菜野菜及び川野菜及び水田沼野菜及び海岸野菜及びバイオ養殖野菜及び海外野菜及び薬生野菜及び海外果物及び国産果物及び加工食品野菜及び野菜の捕れた場所年月日GPSデーターと生野菜の劣化スピードデーターと野菜の薬使用例データーと野菜の流通量データーと野菜の成分データーと野菜の光り育成データーと野菜の調理方法データーと野菜の放射線データーと別途現時点の野菜成分データーを、携帯電話インターネットカメラ及びパソコンインターネットカメラ及び複数パネル積載型ライトカメラインターネットカメラ及び無線機インターネットカメラ及びラジオインターネットカメラ及び山岳ヘリコプターナビゲイションインターネットカメラ及び全自動人型ロボットインターネットカメラ其々のデーターを、一括して呼び出せるカメラのインターネット直接接続のプログラムを作る為の、データー呼び出しの為のカラー異種異形バーコードを積載した請求項1記載のカラー異種異形バーコードカメラの全自動被写体形状確認認識表示システム。
【請求項７】
本発明のカラー異種異形バーコードは、家畜農業生活者保護と猟師の生活保護を、目的とした肉の種類データーに対して、生肉の安全性を、確保する為に、鹿肉販売及び猪肉販売及び熊肉販売及び豚肉販売及び山羊肉販売及び羊肉販売及び兎肉販売及び牛肉販売及び鶏肉販売及び鴨肉販売及び雉肉販売及び蝮蛇肉販売及び馬肉に於いての複数の種類の肉販売に対しての、事故防止の為の肉の成分データーと肉の捕れた場所及び地方及び年月日データーが解り、更に生肉の細菌繁殖温度時間データーと肉の保存状態温度管理データーと調理温度時間と種の保存状況データーと調理方法が、カメラを使ったカラー異種異形バーコードのカメラ撮影によるカラー異種異形バーコードの全自動高出力CCDパネルセンサーの高速読み込みによって、インターネットまたは、カラー異種異形バーコード専用の電波送受信装置によって、どんな場所でも肉の調理方法等のデーターを簡単に入手出来るカメラ装置を積載した請求項1記載のカラー異種異形バーコードカメラの全自動被写体形状確認認識表示システム。
【請求項８】
本発明のカラー異種異形バーコードは、レンガと陶器の種類に付いての説明に成り、街の歩道及び遊園地の遊歩道及びサイクリングロード及びビルの階段及びデザインレンガを、取り入れた庭園及び大浴場の足場及び学校の廊下及び屋上の貼り石及び地下街の歩道及び、玄関の土間足場一戸建てのコンクリート壁のデザイン厚パネル及び駐車場の舗装の代わりに、一度コンクリートを、打設して均した後に、レンガブロックを、敷き詰める方法及び一戸建ての板屋根の上にアルミニウム板枠を、貼り付けた床に填め込みレンガを取り付けた屋根に成り、瓦屋根と異なり平面レンガ屋根に成り地下室の床及び、ビル等のコンクリート床に対して、木板をしいた後のレンガパネル床成り、レンガ陶器の種類として、レンガパネル及び陶器パネル及び軽量レンガパネル及び軽量陶器パネル及び化粧石入りレンガパネル及び金属彫り型レンガパネル及びボルト留型レンガパネル及び軽量多色重ね焼き陶器パネル及び反射板填め込み型軽量レンガパネル及び水噴射口装置付軽量レンガパネル及び鉄筋入りレンガパネル及び免震用軽量レンガパネル及び海外レンガパネル等のデーター早見カラー異種異形バーコードは、軽量レンガの作り方データー年月日場所と軽量陶器の作り方データー年月日場所と粘土材の捕れた場所データーとレンガ陶器の歴史使われ方のデーター等をカラー異種異形バーコードによってカメラ撮影によるカラー異種異形バーコードを認識とインターネットの全自動検索によって、日本の弱者一人財団の世界知的所有財産センターのコンピューターに全自動接続してカラー異種異形バーコードの種類別のデーター公開システム装置を積載した請求項1記載のカラー異種異形バーコードカメラの全自動被写体形状確認認識表示システム。
【請求項９】
本発明のカラー異種異形バーコードは、現在の後継者不足の農業を、誰もが簡単に作業を行える事の出来る様にする為のカラー異種異形バーコードは、作業の仕方及び土地の土の作り方及び田畑の耕しから蒔き付け及び草取りから収穫までを説明した分類ビデオをカラー異種異形バーコードに内蔵した装置に成り、農業が初めての人でも農業が簡単に出来る手ほどきしビデオ説明の分類化を行なった農業システムに成り、市町村カラー異種異形バーコード番号に始まり、組み合わせカラー異種異形バーコードの土質に成り、更に、全自動計測地温計のカラー異種異形バーコード組み合わせと肥料分類のカラー異種異形バーコード組み合わせと放射線量データーのカラー異種異形バーコード組み合わせと植物分布図データーのカラー異種異形バーコード組み合わせと人力耕作と機械工作の種類データーのカラー異種異形バーコード組み合わせと収穫時期データーのカラー異種異形バーコード組み合わせと、47都道府県の作付状況のカラー異種異形バーコード説明の組み合わせと水耕栽培と農耕栽培の区別と違いのデーター等の組み合わせビデオ説明が、インターネットを通じてカラー異種異形バーコードのカメラによる読み込みによって、古い農業から最新農業までの紹介システム装置を積載した請求項1記載のカラー異種異形バーコードカメラの全自動被写体形状確認認識表示システム。
【請求項１０】
本発明のカラー異種異形バーコードは、北海道1のカラー異種異形バーコードと青森県2のカラー異種異形バーコードと秋田県3のカラー異種異形バーコードと岩手県4のカラー異種異形バーコードと宮城県5のカラー異種異形バーコードと山形県6のカラー異種異形バーコードと福島県7のカラー異種異形バーコードと茨城県8のカラー異種異形バーコードと栃木県9のカラー異種異形バーコードと群馬県10のカラー異種異形バーコードと埼玉県11のカラー異種異形バーコードと千葉県12のカラー異種異形バーコードと東京都13のカラー異種異形バーコードと神奈川県14のカラー異種異形バーコードと長野県15のカラー異種異形バーコードと山梨県16のカラー異種異形バーコードと静岡県17のカラー異種異形バーコードと新潟県18のカラー異種異形バーコードと愛知県19のカラー異種異形バーコードと岐阜県20のカラー異種異形バーコードと三重県21のカラー異種異形バーコードと富山県22のカラー異種異形バーコードと石川県23のカラー異種異形バーコードと福井県24のカラー異種異形バーコードと滋賀県25のカラー異種異形バーコードと京都府26のカラー異種異形バーコードと大阪府27のカラー異種異形バーコードと兵庫県28のカラー異種異形バーコードと奈良県29のカラー異種異形バーコードと和歌山県30のカラー異種異形バーコードと鳥取県31のカラー異種異形バーコードと島根県32のカラー異種異形バーコードと岡山県33のカラー異種異形バーコードと広島県34のカラー異種異形バーコードと山口県35のカラー異種異形バーコードと徳島県36のカラー異種異形バーコードと香川県37のカラー異種異形バーコードと愛媛県38のカラー異種異形バーコードと高知県39のカラー異種異形バーコードと福岡県40のカラー異種異形バーコードと佐賀県41のカラー異種異形バーコードと長崎県42のカラー異種異形バーコードと熊本県43のカラー異種異形バーコードと大分県44のカラー異種異形バーコードと宮崎県45のカラー異種異形バーコードと鹿児島県46のカラー異種異形バーコードと沖縄県47のカラー異種異形バーコードこれらの都道府県の区別の為に、複数のカラー色の異種異形バーコードのカラー色の並び方によって47の都道府県の区別を行っているカラー異種異形バーコードシステムを積載した請求項1記載のカラー異種異形バーコードカメラの全自動被写体形状確認認識表示システム。
【請求項１１】
本発明のカラー異種異形バーコードは、日本国で販売される輸入品及び国産品の特許権料金未払い及び意匠権料金未払い及び新技術の著作権料金未払い及び特許権切れの著作権未払い等を、商品に印刷及びシール貼りされているカラー異種異形バーコードをライトカメラによってカメラの被写体カラー異種異形バーコードを、カメラで写す行為を行うとカメラ内に内蔵または外付けカードに入力されているカラー異種異形バーコードの外周被写体ライン及び内周被写体ラインのカラー異種異形バーコードの形状ライン全てがカード内に入力されている為、カメラのカラー異種異形バーコード被写体接写によってカメラのカラー異種異形バーコード被写体の全自動確認認識作動によってカラー異種異形バーコードの多種多用の複数のカラー異種異形バーコードに対して、対応するデーターをカメラカード内に予め入力する事によって、全自動作動によって複数の分野別の商品の知的所有財産権全てから商品の作り方及び産地及び年月日作成時間及び作成者及び商品管理項目及び商品評価及び最近の商品の流れなどを、インターネットまたは特設の知的所有財産権及び商品の作成術などを、専用の電波中継局の山岳ヘリコプターを、使った高速スクリュー無線波送受信装置によって、カラー異種異形バーコードデーターを、パソコン及び携帯電話等の画面等で見る事の出来るカメラシステムと映像システムを積載した請求項1記載のカラー異種異形バーコードカメラの全自動被写体形状確認認識表示システム。
【請求項１２】
本発明のカラー異種異形バーコードは、国際特許番号及び特許国名及び特許権商品の部材の料金説明及び世界各国の国々の特許権番号及び審査請求結果を見る為のカラー異種異形バーコードの目印を付けた特許番号及び商品登録番号をカラー異種異形バーコードライトカメラの接写の全自動のカラー異種異形バーコード被写体確認認識によって、世界中の特許庁から、データーを全自動で引き出す事の出来る請求項1記載のカラー異種異形バーコードカメラの全自動被写体形状確認認識表示システム。
【請求項１３】
本発明のカラー異種異形バーコードは、特許番号の数字の代わりに複数カラーの文字呼び出しの為の文字の色設定に対してアは赤色とイの青色とウの黄色とエの白色とオの黒色とカのボタン色とキの水色とクのリリームイエロー色とケのラベンダー色とコの白色とサのコーラルレッド色とシのアザーブルー色と、スのマシコット色とセのリンドウ色とソのエンパク色とタのマジエンタ色と、チのカメノゾキ色とツの卵色とテのフジムラサキ色とトのキナリ色とナのバラ色とニのワスレナグサ色とヌのシャンパン色とネのキキョウ色とノのカイハクシヨク色とハのローズ色とヒのアザーブルーとフのジャスミン色とヘのバァイオレッド色とホのウノハナ色とマのコチニールレッド色とミのセレスト色とムのミモザ色とメのパンジー色とモのパールホワイト色とヤのクレナイ色とユのネープルスイエロー色とヨのスナ色とラのカーマイン色とリのミズアサギ色とルのクチナシ色とレのパープル色とロのフオッグ色とワのトマトレッド色とガのシグナルレッド色とギのチグサ色とグのナノハナ色とゲのコダイムラサキ色とゴのシルバーホワイト色とザのスカーレッド色とジのシンバシ色とズのカナリア色とゼのローヤルパープル色とゾのスカイグレー色とダのフアイァレッド色とヂのオールドブルー色とヅのカリヤス色とデのピアニー色とドのシルバーグレイ色とバのベニヒ色とビのアクアマリン色とブのシヤルトルーズイエロー色とベのアメシスト色とボのアッシュグレイ色とパのニ色とピのナイルブルー色とプのサハファーイエロー色とぺのフタアイ色とポのフシ色とンの金色に成り、色合わせ文字は特許番号以外の特許用語の頭文字引き出しに使用した特許用語頭文型文字全ての文字に対しての文字呼び出しの為の異なった別々の69色をカラー異種異形バーコードの文字呼び出し形体にした請求項1記載のカラー異種異形バーコードカメラの全自動被写体形状確認認識表示システム。
【請求項１４】
本発明のカラー異種異形バーコードシステムは、軽水素トリチウム電子ガス入りの高出力発光LEDライトカメラによって暗闇でも、カラー異種異形バーコードの被写体を映す事を、軽水素トリチウム電子ガス入りの高出力CCDパネルの光り感知パネルによって、弱い光でも素早く光り感知を可能にした軽水素トリチウム電子ガス入りのカメラの発光LEDライト玉装置とカメラの軽水素トリチウム電子ガス入りのCCD光感知パネルを、積載内蔵した電波送受信可能なカメラによってカラー異種異形バーコードの形状と形体を素早く読み込んでデーターの受信住所内蔵の専門のデーターコンピューターに接続して世界の全ての商品一つに対してのデーター提供出来る請求項1記載のカラー異種異形バーコードカメラの全自動被写体形状確認認識表示システム。
【発明の詳細な説明】
【技術分野】
【０００１】
従来のバーコードは、日本の全商品の区別及び年月日及び住所氏名及び電話番号及び値段表示だけしか専用のバーコード赤外線読み込み装置によって読み込むしか出来なかった。
【０００２】
この他、携帯電話のバーコードリーダーは、カメラ内に予め設定されている小枠の正方形の枠内に、印刷物等の正方形の黒色のバーコードをカメラ内の予め設けて有るカメラ枠内にキチンと収める事によって正方形の黒色のバーコードに書かれているインターネット番号を携帯電話に明示する事までが出来た装置。
【背景技術】
【０００３】
従来の使用されているバーコードは、赤外線感知によって、スーパーレジの全自動バーコード赤外線読み込み装置等が有る。
【０００４】
更に、商品の会社の宣伝等のインターネット広告のホームページ番号をブロックバーコードの暗号化した正方形バーコードが有る。
【０００５】
以下、図1〜図9により、従来のバーコードは一度カメラで四角形状のカメラ内に設定されている枠内に、雑誌等の小さ目の正方形バーコードを枠内にしっかりピントを合わせなければインターネット番号が正確に読み取れない欠点が有り、本発明のカメラバーコードシステムは、予めカメラシステムのカラー異種異形バーコードの形状パターンと形状ラインのデーターとカラーラインの並びデーター等が、内蔵されている為、カメラによるバーコードの被写体接写によって、収められたバーコードデーターを全自動で、カラー異種異形バーコードの色合わせとバーコード形状を全自動で読み取って直接カラー異種異形バーコードのホームページを、ホームページ番号無で直接画面上に、商品の知的所有財産番号を含めた商品データーを全自動公開出来るカラー異種異形バーコードシステム。
【先行技術文献】
【特許文献】
【０００６】
【特許文献１】特許公開2013―102688号国の全額借金返済と都道府県市町村区の全額借金返済の為の多機能電気トラクターの著作権原本。
【０００７】
【特許文献２】特許公開2013−094057号国の全額借金返済と都道府県市町村区の全額借金返済の為の世界最速の超電導リニアーモーターカーシステム全体の著作権発明原本。（企業と国及び都道府県市町村が特許権で無い企業の特許提出によって世界最速の超電導リニアーモーターカーシステムの知的所有財産の技術を、作って企業利益を、上げると国の機関でも知的所有財産の技術横領の利益を、得る方の横領の共謀罪に成ります。）。あくまでも国益１００パーセントと都道府県市町村区益１００パーセントを、目的とした国と都道府県市町村区の借金全額返済の為の先著作権技術文書図主張の知的所有財産の著作権原本。
【０００８】
【特許文献３】特許公開2013―093896号国の全額借金返済と都道府県市町村区の全額借金返済の為の著作権先技術主張の高出力高画質発電ビデオテレビシステム（軽水素トリチウム電子ガス入りのテレビビデオインターネット防犯の映像音声システムに対して企業側が、国と都道府県市町村区と世界特許権無しで、家電製品に軽水素トリチウム電子ガスの回路技術の勝手使用によって知的所有財産の技術横領共謀で国も都道府県市町村区も著作権盗作によって罰せられます。）。
【０００９】
【特許文献４】特許公開2013―091570号国の全額借金返済と都道府県市町村区の全額借金返済の為の知的所有財産の携帯電話及び携帯無線装置による非常停止非常制御操作出来るエレベーター磁極切り換えインバータ制御レールモーター装置の著作権原本。
【００１０】
【特許文献５】特許公開2013―091323号国の全額借金返済と都道府県市町村区の全額借金返済の為の知的所有財産の偽造防止紙幣硬貨原本。（企業と国及び都道府県市町村が特許権で無い企業の特許提出によって偽造防止紙幣硬貨の商品を、作って企業利益を、上げると国の機関でも知的所有財産の技術横領の利益を、得る方の横領の共謀罪に成ります。）。あくまでも国益１００パーセントと都道府県市町村区益１００パーセントを、目的とした国と都道府県市町村区の借金全額返済の為の先著作権技術文書図主張の知的所有財産の著作権に成る。
【００１１】
【特許文献６】特許公開2013―090948号地方経営の医療施設の技術向上と国の全額借金返済と都道府県市町村区の全額借金返済の為の知的所有財産の圧電素子陽電子静電気及び圧電素子陰電子静電気細胞蘇生リバビリテイション装置著作権原本（北海道知事著作権郵便物受理書付）
【００１２】
【特許文献７】特許公開2013―083268号地方の売電利益を、上げる為と海外水力と火力と原子力発電の高出力ダイナモの増量発電技術の海外売電契約の国と都道府県市町村の全額借金返済の為の決定的な電力不足を、補う為の一般に知られて入る半永久の水力ダムの高出力ダイナモ積載の増幅発電型の半永久型の水循環増幅発電システム。
【００１３】
【特許文献８】特許公開2013―082448号国の全額借金返済と都道府県市町村区の全額借金返済の為の知的所有財産の山岳ヘリコプターの著作権原本。（企業と国及び都道府県市町村が特許権で無い企業の特許提出によって山岳ヘリコプターを、作って企業利益を、上げると国の機関でも知的所有財産の技術横領の利益を、得る方の横領の共謀罪に成ります。）。あくまでも国益１００パーセントと都道府県市町村区益１００パーセントを、目的とした国と都道府県市町村区の借金全額返済の為の先著作権技術文書図主張の知的所有財産の著作権原本。
【００１４】
【特許文献９】特許公開2013―078656号地方経営の工場の国の全額借金返済と都道府県市町村区の全額借金返済の為の知的所有財産のスピーカー振動ゴミ取り機能付き掃除機著作権原本
【００１５】
【特許文献１０】特許公開2013―077576号国の全額借金返済と都道府県市町村区の全額借金返済の為の知的所有財産のバッテリー再復活充電バッテリー装置の著作権原本。（企業と国及び都道府県市町村が特許権で無い企業の特許提出によってバッテリー再復活充電バッテリー装置の商品を、作って企業利益を、上げると国の機関でも知的所有財産の技術横領の利益を、得る方の横領の共謀罪に成ります。）。あくまでも国益１００パーセントと都道府県市町村区益１００パーセントを、目的とした国と都道府県市町村区の借金全額返済の為の先著作権技術文書図主張の知的所有財産の著作権に成る。
【００１６】
【特許文献１１】特許公開2013―070618号国の全額借金返済と都道府県市町村区の全額借金返済の為の世界最速ウルトラスーパーコンピューター装置の著作権原本と著作権追加原本。（企業と国及び都道府県市町村が特許権で無い企業の特許提出によって世界最速ウルトラスーパーコンピューター装置の商品を、作って企業利益を、上げると国の機関でも知的所有財産の技術横領の利益を、得る方の横領の共謀罪に成ります。）。あくまでも国益１００パーセントと都道府県市町村区益１００パーセントを、目的とした国と都道府県市町村区の借金全額返済の先著作権技術主張の知的所有財産の著作権に成る。
【００１７】
【特許文献１２】特許公開2013―067654号国の全額借金返済と都道府県市町村区の全額借金返済の為の知的所有財産の夏専用の果物香料入り冷却ハンドクリームと冬専用の果物香料入りの暖房ハンドクリームの著作権原本。（企業と国及び都道府県市町村が特許権で無い企業の特許提出によって夏専用の果物香料入り冷却ハンドクリームと冬専用の果物香料入りの暖房ハンドクリームの著作権原本商品を、作って企業利益を、上げると国の機関でも知的所有財産の技術横領の利益を、得る方の横領の共謀罪に成ります。）。あくまでも国益１００パーセントと都道府県市町村区益１００パーセントを、目的とした国と都道府県市町村区の借金全額返済の為の先著作権技術文書図主張の知的所有財産の著作権に成る。
【００１８】
【特許文献１３】特開2012―236606号国の全額借金返済と都道府県市町村区の全額借金返済の為の知的所有財産の多機能電気観光船著作権原本
【００１９】
【特許文献１４】特開2012―236605号国の全額借金返済と都道府県市町村区の全額借金返済の為の知的所有財産の多機能電気モータープロペラ飛行機原本
【００２０】
【特許文献１５】特開2012―210703号国の全額借金返済と都道府県市町村区の全額借金返済の為の多機能インプット全自動ロボットの著作権原本。コメント２００８年８月３０日ＡＭ１時１６分１１秒原本図面幾らかコピー取って眠る美馬牛カンキチ。２００８年９月４日ＰＭ１７時４９分４７秒多機能ロボット図面とロボット原本図を作り終えて、漸く再び書き始める美馬牛カンキチ。
【００２１】
【特許文献１６】特開2012―187001号テレビ局の目と有識者の目と大学教授の目と共に国民の電気エネルギー危機の再チェックと試作が必要と思われる電力不足危機対応の対策案の為に公開する、国の危機の全額借金返済の為の新２連振子型機械式無害無給油無休憩発電機（半永久連続作動発電機）
【００２２】
【特許文献１７】特開2012―170063号公序良俗違反のため、不掲載とする。
【００２３】
【特許文献１８】特開2012―166951号公序良俗違反のため、不掲載とする。
【００２４】
【特許文献１９】特開2012―140584号公序良俗違反のため、不掲載とする。
【００２５】
【特許文献２０】特開2012―120440号国の全額借金返済と都道府県市町村区の全額借金返済の為の多機能電気自動車著作権原本コメント２００８年６月２５日ＰＭ１４時５３分８秒大雪山がくっきりはっきり見える程のそよ風びよりの快晴の美馬牛市街地余り会えない親戚に自宅横の窓際で会える事と相なる。美馬牛カンキチ。
【００２６】
【特許文献２１】特開2012―116727号国の全額借金返済と都道府県市町村区の全額借金返済の為の知的所有財産の最速スクリュー水電気消防装置著作権原本。
【００２７】
【特許文献２２】特開2012―108140号国の全額借金返済と都道府県市町村区の全額借金返済の為の知的所有財産の化石燃料一切必要としないレントゲンカメラ放射線飛散防止パネル装置著作権原本
【００２８】
【特許文献２３】特開2012―101790号国の全額借金返済と都道府県市町村区の全額借金返済の為の知的所有財産のワンタッチ全自動エアー浮輪著作権原本２００８年５月２日ＰＭ１７時３９分１７秒美馬牛夕食後書く墫野
【００２９】
【特許文献２４】特開2012―099506号燃料電池発電機と総合発電量の競争を含めた国の全額借金返済と都道府県市町村区の全額借金返済の為の知的所有財産の五種類の半永久発電装置を内蔵積載した軽水素入りの水循環発電型の燃料電池発電機著作権原本（別名高出力水発電機）
【００３０】
【特許文献２５】特開2012―097559号国の全額借金返済と都道府県市町村区の全額借金返済の為の知的所有財産の化石燃料一切必要としない高速瞬間気化処理除雪車著作権原本コメント２００８年５月１３日ＰＭ２３時４３分１０秒墫野ニャン本日ここまで眠る。２００８年５月１４日ＡＭ１１時４４分５１秒部屋の掃除朝風呂洗濯後から書く墫野
【００３１】
【特許文献２６】特開2012―097558号国の全額借金返済と都道府県市町村区の全額借金返済の為の知的所有財産の固形窒素プラスチックグラスフアイバーパネル著作権原本
【００３２】
【特許文献２７】特開2012―094548号国の全額借金返済と都道府県市町村区の全額借金返済の為の知的所有財産の光りフアイバーブラウン官テレビ著作権原本
【００３３】
【特許文献２８】特開2012―077607号国の全額借金返済と都道府県市町村区の全額借金返済の為の知的所有財産のヘドロ処理運搬車装置の著作権原本コメント２００８年８月２４日ＰＭ２０時２２分３３秒ヘドロ処理運搬車の図面を漸く書き終え再び書き始める美馬牛カンキチ。
【００３４】
【特許文献２９】特開2012―056558号パワーアップハイブリッド車
【００３５】
【特許文献３０】特開2012―052788号公序良俗違反のため、不掲載とする。
【００３６】
【特許文献３１】特開2012―011211号国の全額借金返済と都道府県市町村区の全額借金返済の為の全自動最速電気洗濯乾燥機著作権原本（コメント）２００８年５月１７日ＰＭ１７時１０分５秒１００円引きのリンゴ食べ再び書く墫野。
【００３７】
【特許文献３２】特開2011―233228号多機能ビデオ著作権原本
【００３８】
【特許文献３３】特開2011―215148号電子熱核燃料原石核融合発電と放射能廃棄物処理方法。コメント２００８年６月１９日（木）ＰＭ１４時１７分３４秒薄曇りのまま美馬牛市街地先程は見かけぬ客人の鳥が来ていた明日給料日カンキチ原子力処理装置先知的所有財産書き急ぐ事する。
【００３９】
【特許文献３４】特開2011―209290号多目的カーナビゲイション著作権原本と都道府県市町村区と国の全額借金返済と弱者自立社会を目指す為の２００１年からの道民財産著作権原本
【００４０】
【特許文献３５】特開2011―205895号多目的カーナビゲイション著作権原本と都道府県市町村区と国の全額借金返済と弱者自立社会を目指す為の２００１年からの道民財産著作権原本
【００４１】
【特許文献３６】特開2011―205675号多機能携帯電話装置原本
【００４２】
【特許文献３７】特開2011―202498号一戸建て免震装置著作権原本及び国の全額借金返済と都道府県市町村区の全額借金返済と弱者自立と救済の著作権技術説明の２００１年からの道民財産著作権
【００４３】
【特許文献３８】特開2011―155267号超軽量高出力発電人工衛星
【００４４】
【特許文献３９】特開2011―105307号未来的電気自動車
【００４５】
【特許文献４０】特開2011―064060号日本の弱者国民救済の地震対応型の多機能発電ハウスシステム
【００４６】
【特許文献４１】特開2011―060294号発電タッチパソコン
【００４７】
【特許文献４２】特開2010―171943号多機能新技術携帯電話
【００４８】
【特許文献４３】特開2010―165355号国の９００兆円越えの借金全額返済の為の世界最新の公共事業対策装置
【００４９】
【特許文献４４】特開2006―254697号全レールモーター制御無害無給油発電機を、使用した電気自動車
【００５０】
【特許文献４５】特開2004―304993号一度に複数の電気配線と複数の電気コイルを持ち得た焼けないで力のあるモーターのあり方。
【００５１】
【特許文献４６】特開2004―304992号一度に複数の電気配線と複数の電気コイルを持ち得た焼けないで力のあるモーターのあり方。
【００５２】
【特許文献４７】特開2004―135480号自動充電池
【００５３】
【特許文献４８】特開2003―328925号真空装置と機械式発電機を、使った水だけの発電機
【００５４】
【特許文献４９】登録実用新案第3168043号高出力発電７連結以上モーター
【００５５】
【特許文献５０】登録実用新案第3145963号省エネルギー水気化水発電機（別名水発電機）
【００５６】
【特許文献５１】登録実用新案第3114491号二連結以上モーター
【発明の概要】
【発明が解決しようとする課題】
【００５７】
以上に述べた従来のバーコードデーター入れる技術に対して、直線ラインの太さと細さの違いの数字読み込みでは、バーコードシールの大きさから黒一色に限度が有りデーター入力に技術の限界が来ていた。
【００５８】
この他、バーコードリーダーに於いては、黒色のブロックの点及び正方形ライン位置等の設定読み込みに対してのインターネットのホームページ呼び出しにしか成らない現在のインターネットの呼び出しシステム自体が、ホームページ番号一本の為、これまでの技術としか成りえない現状に成る。
【００５９】
本発明は、この様な従来のインターネットが構成していたインターネットホームページ番号一本のホームページデーター呼び出しシステムを、複数のデーターを一度に取り出せて一度に組み合わせる事の出来る文章形体と音声形体とビデオ動画形体とビデオ組み立て動画を、一つのホームページデーターとして直接画面上に音声と文章と動画を一度に画面上に呼び出す事を可能にするインターネットを超えた世界初技術を、他社に先駆けて実現する事を目的するもので有る。
【課題を解決するための手段】
【００６０】
そして、本発明が、上記目的を達成する為に47都道府県それぞれに、一から四十七の英数字番号を取り決め、図8の228の47都道府県番号を正方形ライン図の中の十字ライン図の中に数字を書き込んで入れる事によって、正方形ラインの十字ラインの二重の黒色ライン図を、カメラ本体のデーターから選び出して書き込まれて入る1から47の数字の内書き込まれている英数字字体をカメラの全自動被写体形状認識確認表示システムによって、47都道府県市町村の区分けを全自動で出来るカラー異種異形バーコードのカメラの全自動被写体形状認識確認表示システムの積載に成っている全てのカメラに成る。
【００６１】
また、第2の課題解決手段は、カタカナのアから始まりンまでの69文字を、507色を、この世界で表現出来る色の種類の中から、69色だけ選び出してカタカナ文字69文字を複数の色それぞれの異なった色でカタカナ文字表現するカラー異種異形バーコードシステム装置。
【００６２】
また、第3の課題解決手段は、一般の日本国全土で売られている魚のバーコード表示だけでは、調べたいデーターの取り出しが、不可能な状態で無いばかりか、データー化していない為、118の海魚イメージ異種異形カラーバーコード図と119の海養殖魚イメージ異種異形カラーバーコード図と120の陸地中海養殖魚イメージ異種異形カラーバーコード図と121の川魚イメージ異種異形カラーバーコード図と122の湖魚イメージ異種異形カラーバーコード図と123の川養殖魚イメージ異種異形カラーバーコード図と124の海水透水光度数データーイメージ異種異形カラーバーコード図と125の魚の成育温度データーイメージ異種異形カラーバーコード図と126の魚を取った方法イメージ異種異形カラーバーコード図と127の魚の捕れた海上GPS地図位置年月日時間イメージ異種異形カラーバーコード図と128の魚の内臓物検査データーイメージ異種異形カラーバーコード図と129の全自動波計測データーイメージ異種異形カラーバーコード図と130の魚の捕れた時間データーイメージ異種異形カラーバーコード図と131の海水のバクテリア全自動計数値データーイメージ異種異形カラーバーコード図と132の魚の種類データーイメージ異種異形カラーバーコード図と133の海上地震磁波データーイメージ異種異形カラーバーコード図と134の海水の放射線度数データーイメージ異種異形カラーバーコード図を一つのカラー異種異形バーコードにする事によって、この世のあらゆる全てのデーターを、カラー異種異形バーコードの全自動呼び出しシステムに成る。
【００６３】
また、第4の課題解決手段は、一般の日本国全土で売られている肉と個人の食用肉取引によって得られた肉の調理法又は、薬にする方法等に対してのデーターを一度に引き出す事の出来るカラー異種異形バーコードに成り、135鹿肉イメージ異種異形カラーバーコード図に成り、データーとして、136の猪肉イメージ異種異形カラーバーコード図と137の熊肉イメージ異種異形カラーバーコード図と
138の豚肉イメージ異種異形カラーバーコード図と139の山羊肉イメージ異種異形カラーバーコード図と140の羊肉イメージ異種異形カラーバーコード図と141の兎肉イメージ異種異形カラーバーコード図と142の牛肉イメージ異種異形カラーバーコード図と143の鶏肉イメージ異種異形カラーバーコード図と144の鴨肉イメージ異種異形カラーバーコード図と145の雉肉イメージ異種異形カラーバーコード図と146の蛇肉イメージ異種異形カラーバーコード図と147の馬肉イメージ異種異形カラーバーコード図と148の肉の捕れた地方場所年月日データーイメージ異種異形カラーバーコード図と149の肉の成分データーイメージ異種異形カラーバーコード図と150の生肉の細菌温度繁殖時間データーイメージ異種異形カラーバーコード図と151の調理温度時間データーイメージ異種異形カラーバーコード図と152の種の保存状況データーイメージ異種異形カラーバーコード図と153の調理方法データーイメージ異種異形カラーバーコード図と154の肉の種類データーイメージ異種異形カラーバーコード図と155の肉の保存状態温度管理データーイメージ異種異形カラーバーコード図によって、肉の食中毒防止の知識を得ると同時に安全な調理法データーを簡単に得る事が出来るカラー異種異形バーコードシステム装置。
【００６４】
また、第5の課題解決手段は、一般の日本国全土で売られている野菜と個人の食用野菜取引によって得られた野菜の調理法又は、薬にする方法等に対してのデーターを一度に引き出す事の出来るカラー異種異形バーコードに成り、156畑作野菜イメージ異種異形カラーバーコード図と157のハウス野菜イメージ異種異形カラーバーコード図と158の水耕野菜イメージ異種異形カラーバーコード図と159の山菜野菜イメージ異種異形カラーバーコード図と160の川野菜イメージ異種異形カラーバーコード図と161の果物イメージ異種異形カラーバーコード図と162の水田沼野菜イメージ異種異形カラーバーコード図と163の海岸野菜イメージ異種異形カラーバーコード図と164のバイオ養殖野菜イメージ異種異形カラーバーコード図と165の海外国野菜イメージ異種異形カラーバーコード図と166の薬生野菜イメージ異種異形カラーバーコード図と167の海外果物イメージ異種異形カラーバーコード図と168の加工食品野菜イメージ異種異形カラーバーコード図と169の野菜の捕れた場所年月日GPSデーターイメージ異種異形カラーバーコード図と170の生野菜の劣化スピードデーターイメージ異種異形カラーバーコード図と171の生野菜薬使用例データーイメージ異種異形カラーバーコード図と172の光り成育データーイメージ異種異形カラーバーコード図と173の野菜の流通量データーイメージ異種異形カラーバーコード図と174の生野菜成分データーイメージ異種異形カラーバーコード図と175の野菜の調理方法データーイメージ異種異形カラーバーコード図と176の野菜の放射線データーイメージ異種異形カラーバーコード図と177の野菜の種類データーイメージ異種異形カラーバーコード図と178の別途現時点野菜成分データーイメージ異種異形カラーバーコード図によって、野菜の食中毒防止などを目的としたカラー異種異形バーコードシステム。
【００６５】
また、第6の課題解決手段は、一般の日本国全土で売られているまたはこれからの販売予定の各木材板全種類と各木材柱及び合成木材柱及び薬剤データー等のアレルギーデーター及び対策等が一度に解るカラー異種異形カラーバーコードの説明に成り、179木材板イメージ異種異形カラーバーコード図に成り内訳として、180の海外木材板イメージ異種異形カラーバーコード図と181の日本合板イメージ異種異形カラーバーコード図と182の海外合板イメージ異種異形カラーバーコード図と183の乾燥剤入り木材板イメージ異種異形カラーバーコード図と184の乾燥剤入り木材柱イメージ異種異形カラーバーコード図と185の防虫剤入り木材板イメージ異種異形カラーバーコード図と186の防虫剤入り木材柱イメージ異種異形カラーバーコード図と187の合成木材イメージ異種異形カラーバーコード図と188の防腐剤入り木材イメージ異種異形カラーバーコード図と189の木材の生産国種類年月日データーイメージ異種異形カラーバーコード図と190の木材の害虫データーイメージ異種異形カラーバーコード図と191の木材の燃えるスピードデーターイメージ異種異形カラーバーコード図と192の木材の耐久度データーイメージ異種異形カラーバーコード図と193の木材の薬剤使用全データーイメージ異種異形カラーバーコード図と194の木材の再利用回数データーイメージ異種異形カラーバーコード図と195の木材の処理方法データー炭利用イメージ異種異形カラーバーコード図と196の木材の使用限界年数データーイメージ異種異形カラーバーコード図と197の木材の重さ乾燥度データーイメージ異種異形カラーバーコード図と198の木材過去使用例データーイメージ異種異形カラーバーコード図と199の燃えない木材データーイメージ異種異形カラーバーコード図等の木材の化学薬品アレルギー等の薬剤表示看板及び目印及び掲示明示義務の為のカラー異種異形バーコードシステム。
【００６６】
また、第6の課題解決手段は、一般の日本国全土で売られているまたはこれから販売の時期が来たら販売するレンガ及び陶器の軽量陶器の説明と軽量レンガの説明に対しての200のレンガパネルイメージ異種異形カラーバーコード図と201の陶器パネルイメージ異種異形カラーバーコード図と202の軽量レンガパネルイメージ異種異形カラーバーコード図と203の軽量陶器パネルイメージ異種異形カラーバーコード図と204の石レンガパネルイメージ異種異形カラーバーコード図と205の金属彫り型レンガパネルイメージ異種異形カラーバーコード図と206のボルト留型レンガパネルイメージ異種異形カラーバーコード図と207の軽量多色重ね焼き陶器パネルイメージ異種異形カラーバーコード図と208の反射板填め込み型軽量レンガパネルイメージ異種異形カラーバーコード図と209の水吹き出し装置付軽量レンガパネルイメージ異種異形カラーバーコード図と210の鉄筋入りレンガパネルイメージ異種異形カラーバーコード図と
211の免震用填め込み型軽量レンガパネルイメージ異種異形カラーバーコード図と212の海外レンガパネルイメージ異種異形カラーバーコード図と213の軽量レンガの作り方年月日作成場所作成者データーイメージ異種異形カラーバーコード図と214の軽量陶器の作り方年月日作成場所作成者データーイメージ異種異形カラーバーコード図と215の粘土材の採取した場所データーイメージ異種異形カラーバーコード図と216のレンガ陶器の種類データーイメージ異種異形カラーバーコード図と217のレンガ陶器の歴史使われ方データーイメージ異種異形カラーバーコード図これらレンガ及び陶器の地震対策に備えた新技術の異なったデーター作りの基本データーを一度に表示と明示の閲覧出来るカラー異種異形バーコードシステム。
【００６７】
また、第6の課題解決手段は、後継者不足の農業に対して農業の有り方説明と未来農業の有り方と農業の土地の守り方と農地にビルを建てる場合の土地販売を止めて土地貸出契約義務として、将来的に元の土地所有者がビル等の経営者が倒産破産した場合、土地の所有者に土地か帰り、農業などを再び農業の土地所有者が農業を再びする事が出来るシステムに成り、利点として個人財産の片寄によって最終的に国の倒産及び破産を、防ぐ一つのシステム等のデーターを、一目で閲覧出来るカラー異種異形バーコードシステムに成り今回は、農業関係のデーターとして218の農業分野製品データーイメージ異種異形カラーバーコード図と219の土水分計データーのイメージ異種異形カラーバーコード図と220の土質データーのイメージ異種異形カラーバーコード図と221の市町村番号のイメージ異種異形カラーバーコード図と222の全自動計測地温計データーのイメージ異種異形カラーバーコード図と223の肥料分類データーのイメージ異種異形カラーバーコード図と224の収穫時期データーのイメージ異種異形カラーバーコード図と225の植物分布図データーのイメージ異種異形カラーバーコード図と226の人力と機械種類データーのイメージ異種異形カラーバーコード図と227の水耕栽培野外栽培の区別データーのイメージ異種異形カラーバーコード図と228の四十七都道府県番号データーのイメージ異種異形カラーバーコード図と
229の放射線量データーのイメージ異種異形カラーバーコード図に成り、この他の産業なども、カラー異種異形バーコードによって、一目で問題策の解決をスムーズムに出来るカラー異種異形バーコードシステム。
【００６８】
また、第7の課題解決手段は、知的所有財産の番号及び審査請求の結果番号が一目でわかり、其の国々の言葉によって、不正競争防止法に基づく盗作作品等の有無が一目でインターネットを、介して閲覧出来るシステムに成り、230の国名データーのイメージ異種異形カラーバーコード図と231の商品部材料金説明データーのイメージ異種異形カラーバーコード図と232の世界国々の特許権番号データーのイメージ異種異形カラーバーコード図と233の審査請求審査結果番号データーのイメージ異種異形カラーバーコード図と234の商品登録番号データーのイメージ異種異形カラーバーコード図と235の国際特許番号のデーターのイメージ異種異形カラーバーコード図に成り、知的所有財産の番号及び審査請求の結果番号が一目でわかり、其の国々の言葉によって、不正競争防止法に基づく盗作作品等の有無が一目でインターネットを、介して閲覧出来るカラー異種異形バーコードシステムに成る。
【００６９】
また、第8の課題解決手段は、カラー異種異形バーコードシステムの全自動被写体カラー異種異形バーコード確認認識全自動作動インターネット接続回路の内蔵に成って入るカメラならば、インターネット接続に成り、被写体のカラー異種異形バーコードの画像を高出力CCDパネル内蔵のカメラCCDは、軽水素トリチウム電子入りダイオードCCDパネルの為、CCD内のダイオード電子の動きを活発に擦るために、ダイオードに予め、軽水素トリチウム電子ガスを入れる世界初の技術に成り、高出力CCDは、通常のCCDと異なり軽水素トリチウム電子効果によって、暗い光でも素早く光りを感じて電気又は電子信号に変える為、写真の写りが、明るく成り、写真全体が明るく成る特徴の有る為、カラー異種異形バーコードに対しても、小さなデザイン効果を発動し易く成る為カラー異種異形バーコードの細かな異種異形デザインも可能に成る。
【発明の効果】
【００７０】
上述した要に本発明のカラー異種異形バーコードシステムは、商品の知的所有財産番号から、商品が出来るまでの説明と不正に他人の知的所有財産の意味する商品の類似商品及び盗作商品を誰もが携帯電話及びパソコンで簡単に調べる事が出来て、商品開発者に他人からの不当な盗作商品によって、国税の未払い及び所得税の未払い及び税税収不足の危機を将来までに予め避ける事を目的としている。
【００７１】
この他、農業の耕作者不足及び農業の後継者不足を、補う為の将来的のビデオ学習の有り方とインターネットビデオの新たな多画面インターネット時代の幕開けとし農業の本当の面白さと企業利益化しない個人農業の育成の為のインターネットを含むカラー異種異形バーコードシステム。
【産業上の利用可能性】
【００７２】
第1の産業上の利用可能性として、カラー異種異形バーコードシステムは、商品全てに対してトマトの所在一つの説明に対して、通常は日本の極一部のインターネット説明に成るが将来的には、全世界のトマトの種類が解り、生の食べ方及び、世界中の料理の仕方が一度に解るカラー異種異形バーコードシステムのインターネットの世界情報の見方及びデーター収録索引の有り方。
【００７３】
第2の産業上の利用可能性として、官庁及び都道府県市町村にて、インターネット別回線して都道府県市町村の職員及び日本の弱者一人一人の財団職員が使用する特殊のカラー異種異形バーコードシステムは、一般人及び企業間に流通させない個人情報保護法案に基づく個人の機密情報の特殊の山岳ヘリコプターの電波中継局を、使用した電波障害の無いデーターストックセンターのスーパーコンピューターと回線を繋いだ場合、使用擦るデーター引き出しの為の組み立てカメラレンズ三個及び四個を、使った特殊バーコードの有り方に成るが、企業販売及び個人販売が一切無いカメラで有るが著作権盗作及び特開盗作の観点から、2013年6月22日pm18時9分財団を運営する為に絶対必要に成る技術だが、企業側では、金取り主義の為、直ぐに販売するようだが、保護社会設立の為の一つの日本の弱者国民一人一人を保護する為の一つの手段に成る。
【図面の簡単な説明】
【００７４】
【図１】本発明のカラー異種異形バーコードの都道府県区割りの番号説明図。
【図２】本発明のカラー異種異形バーコードの知的所有財産の特許用語を引き出したり著作権用語を引き出したりする時に使用する複数色バーコードの設定色の説明図。
【図３】本発明のカラー異種異形バーコードの食用魚の養殖及び販売及び自然環境及び種の保護の今現在を見る事の出来る本発明のカラー異種異形バーコード外形図。
【図４】本発明のカラー異種異形バーコードの食用肉の繁殖及び販売及び自然環境及び種の保護の今現在を見る事の出来る本発明のカラー異種異形バーコード外形図。
【図５】本発明のカラー異種異形バーコードの野菜の育成栽培及び販売及び自然環境及び種の保護の今現在を見る事の出来る本発明のカラー異種異形バーコード外形図。
【図６】本発明のカラー異種異形バーコードの木材の再生製品及び販売及び自然環境及び種の保護の今現在を見る事の出来る本発明のカラー異種異形バーコード外形図。
【図７】本発明のカラー異種異形バーコードのレンガパネルの再生製品及び販売及び自然環境及び新商品開発状況の今現在を見る事の出来る本発明のカラー異種異形バーコード外形図。
【図８】本発明のカラー異種異形バーコードの農業関係の商品バーコードから農業の遣り方をビデオ方式のプロ職人として出来るまでの細かい市町村職員の指導手ほどきの農作業全体のビデオと気象及び成育関係の全自動実写映像を見る事の出来る装置。
【図９】本発明のカラー異種異形バーコードの内容の中の一つに2013年国税収入不足が有り特許権を持たずに特許権切れの商品に対して真似を、して類似している商品を勝手に作る事によって不当な利益を上げる事で国税の収入不足に成り、同じような商品を作る会社が多い程、経費として脱税を行う行為を見逃す国税庁の行為になり、国税庁の正当な税金回収を行える様にする為のカラー異種異形バーコード図。
【図１０】本特許提出は、特許法第187条の特許表示に対して日本国内に於いて商品を販売する際特許表示に努めなさいと言う特許法の法案事項に於いて、おそらく日本企業の90パーセントから95パーセント以上が特許明示しないまま、同一商品に対して、特許明示と審査請求番号の公開をしていない実例パンフレットの一部分公開で有り、とにかく類似作品で無い事を祈りつつ庶民パンフレット公開物件図に成り、弱者はお金がかかり過ぎる従って、国にかわって、企業が知的財産調査費を全て無料で払う仕組みなのかと尋ねたく成るパンフレットデーター図。
【図１１】本特許提出は、特許法第187条の特許表示に対して日本国内に於いて商品を販売する際特許表示に努めなさいと言う特許法の法案事項に於いて、おそらく日本企業の90パーセントから95パーセント以上が特許明示しないまま、同一商品に対して、特許明示と審査請求番号の公開をしていない実例パンフレットの一部分公開で有り、とにかく類似作品で無い事を祈りつつ庶民パンフレット公開物件図に成り、弱者はお金がかかり過ぎる従って、国にかわって、企業が知的財産調査費を全て無料で払う仕組みなのかと尋ねたく成るパンフレットデーター図。
【図１２】本特許提出は、特許法第187条の特許表示に対して日本国内に於いて商品を販売する際特許表示に努めなさいと言う特許法の法案事項に於いて、おそらく日本企業の90パーセントから95パーセント以上が特許明示しないまま、同一商品に対して、特許明示と審査請求番号の公開をしていない実例パンフレットの一部分公開で有り、とにかく類似作品で無い事を祈りつつ庶民パンフレット公開物件図に成り、弱者はお金がかかり過ぎる従って、国にかわって、企業が知的財産調査費を全て無料で払う仕組みなのかと尋ねたく成るパンフレットデーター図。
【図１３】本特許提出は、特許法第187条の特許表示に対して日本国内に於いて商品を販売する際特許表示に努めなさいと言う特許法の法案事項に於いて、おそらく日本企業の90パーセントから95パーセント以上が特許明示しないまま、同一商品に対して、特許明示と審査請求番号の公開をしていない実例パンフレットの一部分公開で有り、とにかく類似作品で無い事を祈りつつ庶民パンフレット公開物件図に成り、弱者はお金がかかり過ぎる従って、国にかわって、企業が知的財産調査費を全て無料で払う仕組みなのかと尋ねたく成るパンフレットデーター図。
【図１４】本特許提出は、特許法第187条の特許表示に対して日本国内に於いて商品を販売する際特許表示に努めなさいと言う特許法の法案事項に於いて、おそらく日本企業の90パーセントから95パーセント以上が特許明示しないまま、同一商品に対して、特許明示と審査請求番号の公開をしていない実例パンフレットの一部分公開で有り、とにかく類似作品で無い事を祈りつつ庶民パンフレット公開物件図に成り、弱者はお金がかかり過ぎる従って、国にかわって、企業が知的財産調査費を全て無料で払う仕組みなのかと尋ねたく成るパンフレットデーター図。
【図１５】本特許提出は、特許法第187条の特許表示に対して日本国内に於いて商品を販売する際特許表示に努めなさいと言う特許法の法案事項に於いて、おそらく日本企業の90パーセントから95パーセント以上が特許明示しないまま、同一商品に対して、特許明示と審査請求番号の公開をしていない実例パンフレットの一部分公開で有り、とにかく類似作品で無い事を祈りつつ庶民パンフレット公開物件図に成り、弱者はお金がかかり過ぎる従って、国にかわって、企業が知的財産調査費を全て無料で払う仕組みなのかと尋ねたく成るパンフレットデーター図。
【図１６】本特許提出は、特許法第187条の特許表示に対して日本国内に於いて商品を販売する際特許表示に努めなさいと言う特許法の法案事項に於いて、おそらく日本企業の90パーセントから95パーセント以上が特許明示しないまま、同一商品に対して、特許明示と審査請求番号の公開をしていない実例パンフレットの一部分公開で有り、とにかく類似作品で無い事を祈りつつ庶民パンフレット公開物件図に成り、弱者はお金がかかり過ぎる従って、国にかわって、企業が知的財産調査費を全て無料で払う仕組みなのかと尋ねたく成るパンフレットデーター図。
【図１７】本特許提出は、特許法第187条の特許表示に対して日本国内に於いて商品を販売する際特許表示に努めなさいと言う特許法の法案事項に於いて、おそらく日本企業の90パーセントから95パーセント以上が特許明示しないまま、同一商品に対して、特許明示と審査請求番号の公開をしていない実例パンフレットの一部分公開で有り、とにかく類似作品で無い事を祈りつつ庶民パンフレット公開物件図に成り、弱者はお金がかかり過ぎる従って、国にかわって、企業が知的財産調査費を全て無料で払う仕組みなのかと尋ねたく成るパンフレットデーター図。
【図１８】本特許提出は、特許法第187条の特許表示に対して日本国内に於いて商品を販売する際特許表示に努めなさいと言う特許法の法案事項に於いて、おそらく日本企業の90パーセントから95パーセント以上が特許明示しないまま、同一商品に対して、特許明示と審査請求番号の公開をしていない実例パンフレットの一部分公開で有り、とにかく類似作品で無い事を祈りつつ庶民パンフレット公開物件図に成り、弱者はお金がかかり過ぎる従って、国にかわって、企業が知的財産調査費を全て無料で払う仕組みなのかと尋ねたく成るパンフレットデーター図。
【図１９】本特許提出は、特許法第187条の特許表示に対して日本国内に於いて商品を販売する際特許表示に努めなさいと言う特許法の法案事項に於いて、おそらく日本企業の90パーセントから95パーセント以上が特許明示しないまま、同一商品に対して、特許明示と審査請求番号の公開をしていない実例パンフレットの一部分公開で有り、とにかく類似作品で無い事を祈りつつ庶民パンフレット公開物件図に成り、弱者はお金がかかり過ぎる従って、国にかわって、企業が知的財産調査費を全て無料で払う仕組みなのかと尋ねたく成るパンフレットデーター図。
【図２０】本特許提出は、特許法第187条の特許表示に対して日本国内に於いて商品を販売する際特許表示に努めなさいと言う特許法の法案事項に於いて、おそらく日本企業の90パーセントから95パーセント以上が特許明示しないまま、同一商品に対して、特許明示と審査請求番号の公開をしていない実例パンフレットの一部分公開で有り、とにかく類似作品で無い事を祈りつつ庶民パンフレット公開物件図に成り、弱者はお金がかかり過ぎる従って、国にかわって、企業が知的財産調査費を全て無料で払う仕組みなのかと尋ねたく成るパンフレットデーター図。
【図２１】本特許提出は、特許法第187条の特許表示に対して日本国内に於いて商品を販売する際特許表示に努めなさいと言う特許法の法案事項に於いて、おそらく日本企業の90パーセントから95パーセント以上が特許明示しないまま、同一商品に対して、特許明示と審査請求番号の公開をしていない実例パンフレットの一部分公開で有り、とにかく類似作品で無い事を祈りつつ庶民パンフレット公開物件図に成り、弱者はお金がかかり過ぎる従って、国にかわって、企業が知的財産調査費を全て無料で払う仕組みなのかと尋ねたく成るパンフレットデーター図。
【図２２】本特許提出は、特許法第187条の特許表示に対して日本国内に於いて商品を販売する際特許表示に努めなさいと言う特許法の法案事項に於いて、おそらく日本企業の90パーセントから95パーセント以上が特許明示しないまま、同一商品に対して、特許明示と審査請求番号の公開をしていない実例パンフレットの一部分公開で有り、とにかく類似作品で無い事を祈りつつ庶民パンフレット公開物件図に成り、弱者はお金がかかり過ぎる従って、国にかわって、企業が知的財産調査費を全て無料で払う仕組みなのかと尋ねたく成るパンフレットデーター図。
【図２３】本特許提出は、特許法第187条の特許表示に対して日本国内に於いて商品を販売する際特許表示に努めなさいと言う特許法の法案事項に於いて、おそらく日本企業の90パーセントから95パーセント以上が特許明示しないまま、同一商品に対して、特許明示と審査請求番号の公開をしていない実例パンフレットの一部分公開で有り、とにかく類似作品で無い事を祈りつつ庶民パンフレット公開物件図に成り、弱者はお金がかかり過ぎる従って、国にかわって、企業が知的財産調査費を全て無料で払う仕組みなのかと尋ねたく成るパンフレットデーター図。
【図２４】本特許提出は、特許法第187条の特許表示に対して日本国内に於いて商品を販売する際特許表示に努めなさいと言う特許法の法案事項に於いて、おそらく日本企業の90パーセントから95パーセント以上が特許明示しないまま、同一商品に対して、特許明示と審査請求番号の公開をしていない実例パンフレットの一部分公開で有り、とにかく類似作品で無い事を祈りつつ庶民パンフレット公開物件図に成り、弱者はお金がかかり過ぎる従って、国にかわって、企業が知的財産調査費を全て無料で払う仕組みなのかと尋ねたく成るパンフレットデーター図。
【図２５】本特許提出は、特許法第187条の特許表示に対して日本国内に於いて商品を販売する際特許表示に努めなさいと言う特許法の法案事項に於いて、おそらく日本企業の90パーセントから95パーセント以上が特許明示しないまま、同一商品に対して、特許明示と審査請求番号の公開をしていない実例パンフレットの一部分公開で有り、とにかく類似作品で無い事を祈りつつ庶民パンフレット公開物件図に成り、弱者はお金がかかり過ぎる従って、国にかわって、企業が知的財産調査費を全て無料で払う仕組みなのかと尋ねたく成るパンフレットデーター図。
【図２６】本特許提出は、特許法第187条の特許表示に対して日本国内に於いて商品を販売する際特許表示に努めなさいと言う特許法の法案事項に於いて、おそらく日本企業の90パーセントから95パーセント以上が特許明示しないまま、同一商品に対して、特許明示と審査請求番号の公開をしていない実例パンフレットの一部分公開で有り、とにかく類似作品で無い事を祈りつつ庶民パンフレット公開物件図に成り、弱者はお金がかかり過ぎる従って、国にかわって、企業が知的財産調査費を全て無料で払う仕組みなのかと尋ねたく成るパンフレットデーター図。
【図２７】本特許提出は、特許法第187条の特許表示に対して日本国内に於いて商品を販売する際特許表示に努めなさいと言う特許法の法案事項に於いて、おそらく日本企業の90パーセントから95パーセント以上が特許明示しないまま、同一商品に対して、特許明示と審査請求番号の公開をしていない実例パンフレットの一部分公開で有り、とにかく類似作品で無い事を祈りつつ庶民パンフレット公開物件図に成り、弱者はお金がかかり過ぎる従って、国にかわって、企業が知的財産調査費を全て無料で払う仕組みなのかと尋ねたく成るパンフレットデーター図。
【図２８】本特許提出は、特許法第187条の特許表示に対して日本国内に於いて商品を販売する際特許表示に努めなさいと言う特許法の法案事項に於いて、おそらく日本企業の90パーセントから95パーセント以上が特許明示しないまま、同一商品に対して、特許明示と審査請求番号の公開をしていない実例パンフレットの一部分公開で有り、とにかく類似作品で無い事を祈りつつ庶民パンフレット公開物件図に成り、弱者はお金がかかり過ぎる従って、国にかわって、企業が知的財産調査費を全て無料で払う仕組みなのかと尋ねたく成るパンフレットデーター図。
【図２９】本特許提出は、特許法第187条の特許表示に対して日本国内に於いて商品を販売する際特許表示に努めなさいと言う特許法の法案事項に於いて、おそらく日本企業の90パーセントから95パーセント以上が特許明示しないまま、同一商品に対して、特許明示と審査請求番号の公開をしていない実例パンフレットの一部分公開で有り、とにかく類似作品で無い事を祈りつつ庶民パンフレット公開物件図に成り、弱者はお金がかかり過ぎる従って、国にかわって、企業が知的財産調査費を全て無料で払う仕組みなのかと尋ねたく成るパンフレットデーター図。
【図３０】本特許提出は、特許法第187条の特許表示に対して日本国内に於いて商品を販売する際特許表示に努めなさいと言う特許法の法案事項に於いて、おそらく日本企業の90パーセントから95パーセント以上が特許明示しないまま、同一商品に対して、特許明示と審査請求番号の公開をしていない実例パンフレットの一部分公開で有り、とにかく類似作品で無い事を祈りつつ庶民パンフレット公開物件図に成り、弱者はお金がかかり過ぎる従って、国にかわって、企業が知的財産調査費を全て無料で払う仕組みなのかと尋ねたく成るパンフレットデーター図。
【図３１】本特許提出は、特許法第187条の特許表示に対して日本国内に於いて商品を販売する際特許表示に努めなさいと言う特許法の法案事項に於いて、おそらく日本企業の90パーセントから95パーセント以上が特許明示しないまま、同一商品に対して、特許明示と審査請求番号の公開をしていない実例パンフレットの一部分公開で有り、とにかく類似作品で無い事を祈りつつ庶民パンフレット公開物件図に成り、弱者はお金がかかり過ぎる従って、国にかわって、企業が知的財産調査費を全て無料で払う仕組みなのかと尋ねたく成るパンフレットデーター図。
【図３２】本特許提出は、特許法第187条の特許表示に対して日本国内に於いて商品を販売する際特許表示に努めなさいと言う特許法の法案事項に於いて、おそらく日本企業の90パーセントから95パーセント以上が特許明示しないまま、同一商品に対して、特許明示と審査請求番号の公開をしていない実例パンフレットの一部分公開で有り、とにかく類似作品で無い事を祈りつつ庶民パンフレット公開物件図に成り、弱者はお金がかかり過ぎる従って、国にかわって、企業が知的財産調査費を全て無料で払う仕組みなのかと尋ねたく成るパンフレットデーター図。
【図３３】本特許提出は、特許法第187条の特許表示に対して日本国内に於いて商品を販売する際特許表示に努めなさいと言う特許法の法案事項に於いて、おそらく日本企業の90パーセントから95パーセント以上が特許明示しないまま、同一商品に対して、特許明示と審査請求番号の公開をしていない実例パンフレットの一部分公開で有り、とにかく類似作品で無い事を祈りつつ庶民パンフレット公開物件図に成り、弱者はお金がかかり過ぎる従って、国にかわって、企業が知的財産調査費を全て無料で払う仕組みなのかと尋ねたく成るパンフレットデーター図。
【図３４】本特許提出は、特許法第187条の特許表示に対して日本国内に於いて商品を販売する際特許表示に努めなさいと言う特許法の法案事項に於いて、おそらく日本企業の90パーセントから95パーセント以上が特許明示しないまま、同一商品に対して、特許明示と審査請求番号の公開をしていない実例パンフレットの一部分公開で有り、とにかく類似作品で無い事を祈りつつ庶民パンフレット公開物件図に成り、弱者はお金がかかり過ぎる従って、国にかわって、企業が知的財産調査費を全て無料で払う仕組みなのかと尋ねたく成るパンフレットデーター図。
【図３５】本特許提出は、特許法第187条の特許表示に対して日本国内に於いて商品を販売する際特許表示に努めなさいと言う特許法の法案事項に於いて、おそらく日本企業の90パーセントから95パーセント以上が特許明示しないまま、同一商品に対して、特許明示と審査請求番号の公開をしていない実例パンフレットの一部分公開で有り、とにかく類似作品で無い事を祈りつつ庶民パンフレット公開物件図に成り、弱者はお金がかかり過ぎる従って、国にかわって、企業が知的財産調査費を全て無料で払う仕組みなのかと尋ねたく成るパンフレットデーター図。
【図３６】本特許提出は、特許法第187条の特許表示に対して日本国内に於いて商品を販売する際特許表示に努めなさいと言う特許法の法案事項に於いて、おそらく日本企業の90パーセントから95パーセント以上が特許明示しないまま、同一商品に対して、特許明示と審査請求番号の公開をしていない実例パンフレットの一部分公開で有り、とにかく類似作品で無い事を祈りつつ庶民パンフレット公開物件図に成り、弱者はお金がかかり過ぎる従って、国にかわって、企業が知的財産調査費を全て無料で払う仕組みなのかと尋ねたく成るパンフレットデーター図。
【図３７】本特許提出は、特許法第187条の特許表示に対して日本国内に於いて商品を販売する際特許表示に努めなさいと言う特許法の法案事項に於いて、おそらく日本企業の90パーセントから95パーセント以上が特許明示しないまま、同一商品に対して、特許明示と審査請求番号の公開をしていない実例パンフレットの一部分公開で有り、とにかく類似作品で無い事を祈りつつ庶民パンフレット公開物件図に成り、弱者はお金がかかり過ぎる従って、国にかわって、企業が知的財産調査費を全て無料で払う仕組みなのかと尋ねたく成るパンフレットデーター図。
【図３８】本特許提出は、特許法第187条の特許表示に対して日本国内に於いて商品を販売する際特許表示に努めなさいと言う特許法の法案事項に於いて、おそらく日本企業の90パーセントから95パーセント以上が特許明示しないまま、同一商品に対して、特許明示と審査請求番号の公開をしていない実例パンフレットの一部分公開で有り、とにかく類似作品で無い事を祈りつつ庶民パンフレット公開物件図に成り、弱者はお金がかかり過ぎる従って、国にかわって、企業が知的財産調査費を全て無料で払う仕組みなのかと尋ねたく成るパンフレットデーター図。
【図３９】本特許提出は、特許法第187条の特許表示に対して日本国内に於いて商品を販売する際特許表示に努めなさいと言う特許法の法案事項に於いて、おそらく日本企業の90パーセントから95パーセント以上が特許明示しないまま、同一商品に対して、特許明示と審査請求番号の公開をしていない実例パンフレットの一部分公開で有り、とにかく類似作品で無い事を祈りつつ庶民パンフレット公開物件図に成り、弱者はお金がかかり過ぎる従って、国にかわって、企業が知的財産調査費を全て無料で払う仕組みなのかと尋ねたく成るパンフレットデーター図。
【図４０】本特許提出は、特許法第187条の特許表示に対して日本国内に於いて商品を販売する際特許表示に努めなさいと言う特許法の法案事項に於いて、おそらく日本企業の90パーセントから95パーセント以上が特許明示しないまま、同一商品に対して、特許明示と審査請求番号の公開をしていない実例パンフレットの一部分公開で有り、とにかく類似作品で無い事を祈りつつ庶民パンフレット公開物件図に成り、弱者はお金がかかり過ぎる従って、国にかわって、企業が知的財産調査費を全て無料で払う仕組みなのかと尋ねたく成るパンフレットデーター図。
【図４１】この図は、一冊本の裏面の内側の本の作成日等が記載されている部分に成り、つまり、著作権物の印刷日に成る事実だが、本来著作権とは、著作権発生日が、必要とされ著作権者の筆記の取りかかり日と筆記の最終作成日が筆者の実名又はペンネームで記された方が著作権物として値の有る本の価値観を示す追加表示でないかと言えるつまり、アイデアさえも他人の著作物に成り、大学関係者すら盗作作品として特許で無くても逮捕される理由に成り、もう少し本等のアイデアにも少し気を遣うのが本を出版する者及び本を書く側のエチケットだと言える説明の図。
【図４２】この図は、一冊本の裏面の内側の本の作成日等が記載されている部分に成り、つまり、著作権物の印刷日に成る事実だが、本来著作権とは、著作権発生日が、必要とされ著作権者の筆記の取りかかり日と筆記の最終作成日が筆者の実名又はペンネームで記された方が著作権物として値の有る本の価値観を示す追加表示でないかと言えるつまり、アイデアさえも他人の著作物に成り、大学関係者すら盗作作品として特許で無くても逮捕される理由に成り、もう少し本等のアイデアにも少し気を遣うのが本を出版する者及び本を書く側のエチケットだと言える説明の図。
【図４３】本来、パンフレット等に特許明示が無ければ、電気用品取締法に基づく表示と家庭用品質表示法による表示で有り、ノンフロン冷蔵庫に成り、特許番号明示及び表示無しの表記図。
【図４４】本来、パンフレット等に特許明示が無ければ、電気用品取締法に基づく表示と家庭用品質表示法による表示で有り、ノンフロン冷蔵庫に成り、特許番号明示及び表示無しの表記図。
【図４５】本来、パンフレット等に特許明示が無ければ、電気用品取締法に基づく表示と家庭用品質表示法による表示で有り、ノンフロン冷蔵庫に成りタイ製の冷却ガス名シクロペンタンは日本国に聞きなれない冷却ガス名に成り、特許番号明示及び表示無しの表記図。
【図４６】本来、パンフレット等に特許明示が無ければ、電気用品取締法に基づく表示と家庭用品質表示法による表示で有り、ノンフロン冷蔵庫に成り、特許番号明示及び表示無しの表記図。
【図４７】本来、パンフレット等に特許明示が無ければ、電気用品取締法に基づく表示と家庭用品質表示法による表示で有り、ノンフロン冷蔵庫に成り、日本製の冷却ガス名シクロペンタンは日本国に聞きなれない冷却ガス名に成り、特許番号明示及び表示無しの表記図。
【図４８】本来、パンフレット等に特許明示が無ければ、電気用品取締法に基づく表示と家庭用品質表示法による表示で有り、冷却ガス名シクロペンタンは日本国に聞きなれない冷却ガス名に成り、特許番号明示及び表示無しの表記図。
【図４９】本来、パンフレット等に特許明示が無ければ、電気用品取締法に基づく表示と家庭用品質表示法による表示で有り、冷却ガス名シクロペンタンは日本国に聞きなれない冷却ガス名に成り、特許番号明示及び表示無しの表記図。
【図５０】本来、パンフレット等に特許明示が無ければ、電気用品取締法に基づく表示と家庭用品質表示法による表示で有り、洗濯機に成り、モーターの特許番号明示及び表示無しの表記図。
【図５１】本来、パンフレット等に特許明示が無ければ、電気用品取締法に基づく表示と家庭用品質表示法による表示で有り、洗濯機に成り、モーターの特許番号明示及び表示無しの表記図。
【図５２】本来、パンフレット等に特許明示が無ければ、電気用品取締法に基づく表示と家庭用品質表示法による表示で有り、洗濯機に成り、モーターの特許番号明示及び表示無しの表記図。
【図５３】本来特許番号の明示及び表示が、必要で有り、モーター特許番号表示にお金が特別掛からないはずなのだが、電気企業では、シャープが、一つの空気清浄器の特許番号の明記表示が有ったが、シャープの他の製品の特許番号は不思議と明記していないつまり、世界中の誰でも作ってもかまないとの意思表示と言われても仕方の無い事実で有り、しこの他、新技術と書いても特許番号公開と審査請求番号の公開によって、盗作防止と不正販売を、防ぐ特許法なのだが、最近ラジオで聞かれない日本メーカー同志の特許裁判は、昔多く行われたが、最近はラジオばかりかテレビにも特許裁判のニュースが無いばかりか、新技術の名言だけでテレビ局側でも、特許番号を説明するのを拒否する時代でも有り、問題は国に収める税金が企業経費として、消え商品を買う消費者側では、特許権なのかも解らずに高い商品を交わされてもテレビ局及び新聞局側は依然国の全額謝金返済対策としては、口を閉ざす態度は昔と変わらないのは、企業で作るテレビ局と企業で作る新聞社では、いつに成ったら国民弱者一人一人の新聞社及びテレビ局と成って、企業側全体を訴える日は来るのかも疑問視するだけで有り特許明示無い事実の様で有る。
【図５４】本来特許番号の明示及び表示が、必要で有り、モーター特許番号表示にお金が特別掛からないはずなのだが、電気企業では、シャープが、一つの空気清浄器の特許番号の明記表示が有ったが、シャープの他の製品の特許番号は不思議と明記していないつまり、世界中の誰でも作ってもかまないとの意思表示と言われても仕方の無い事実で有り、しこの他、新技術と書いても特許番号公開と審査請求番号の公開によって、盗作防止と不正販売を、防ぐ特許法なのだが、最近ラジオで聞かれない日本メーカー同志の特許裁判は、昔多く行われたが、最近はラジオばかりかテレビにも特許裁判のニュースが無いばかりか、新技術の名言だけでテレビ局側でも、特許番号を説明するのを拒否する時代でも有り、問題は国に収める税金が企業経費として、消え商品を買う消費者側では、特許権なのかも解らずに高い商品を交わされてもテレビ局及び新聞局側は依然国の全額謝金返済対策としては、口を閉ざす態度は昔と変わらないのは、企業で作るテレビ局と企業で作る新聞社では、いつに成ったら国民弱者一人一人の新聞社及びテレビ局と成って、企業側全体を訴える日は来るのかも疑問視するだけで有り特許明示無い事実の様で有る。
【図５５】本来特許番号の明示及び表示が、必要で有り、モーター特許番号表示にお金が特別掛からないはずなのだが、電気企業では、シャープが、一つの空気清浄器の特許番号の明記表示が有ったが、シャープの他の製品の特許番号は不思議と明記していないつまり、世界中の誰でも作ってもかまないとの意思表示と言われても仕方の無い事実で有り、しこの他、新技術と書いても特許番号公開と審査請求番号の公開によって、盗作防止と不正販売を、防ぐ特許法なのだが、最近ラジオで聞かれない日本メーカー同志の特許裁判は、昔多く行われたが、最近はラジオばかりかテレビにも特許裁判のニュースが無いばかりか、新技術の名言だけでテレビ局側でも、特許番号を説明するのを拒否する時代でも有り、問題は国に収める税金が企業経費として、消え商品を買う消費者側では、特許権なのかも解らずに高い商品を交わされてもテレビ局及び新聞局側は依然国の全額謝金返済対策としては、口を閉ざす態度は昔と変わらないのは、企業で作るテレビ局と企業で作る新聞社では、いつに成ったら国民弱者一人一人の新聞社及びテレビ局と成って、企業側全体を訴える日は来るのかも疑問視するだけで有り特許明示無い事実の様で有る。
【図５６】本来特許番号の明示及び表示が、必要で有り、モーター特許番号表示にお金が特別掛からないはずなのだが、電気企業では、シャープが、一つの空気清浄器の特許番号の明記表示が有ったが、シャープの他の製品の特許番号は不思議と明記していないつまり、世界中の誰でも作ってもかまないとの意思表示と言われても仕方の無い事実で有り、しこの他、新技術と書いても特許番号公開と審査請求番号の公開によって、盗作防止と不正販売を、防ぐ特許法なのだが、最近ラジオで聞かれない日本メーカー同志の特許裁判は、昔多く行われたが、最近はラジオばかりかテレビにも特許裁判のニュースが無いばかりか、新技術の名言だけでテレビ局側でも、特許番号を説明するのを拒否する時代でも有り、問題は国に収める税金が企業経費として、消え商品を買う消費者側では、特許権なのかも解らずに高い商品を交わされてもテレビ局及び新聞局側は依然国の全額謝金返済対策としては、口を閉ざす態度は昔と変わらないのは、企業で作るテレビ局と企業で作る新聞社では、いつに成ったら国民弱者一人一人の新聞社及びテレビ局と成って、企業側全体を訴える日は来るのかも疑問視するだけで有り特許明示無い事実の様で有る。
【図５７】本来特許番号の明示及び表示が、必要で有り、モーター特許番号表示にお金が特別掛からないはずなのだが、電気企業では、シャープが、一つの空気清浄器の特許番号の明記表示が有ったが、シャープの他の製品の特許番号は不思議と明記していないつまり、世界中の誰でも作ってもかまないとの意思表示と言われても仕方の無い事実で有り、しこの他、新技術と書いても特許番号公開と審査請求番号の公開によって、盗作防止と不正販売を、防ぐ特許法なのだが、最近ラジオで聞かれない日本メーカー同志の特許裁判は、昔多く行われたが、最近はラジオばかりかテレビにも特許裁判のニュースが無いばかりか、新技術の名言だけでテレビ局側でも、特許番号を説明するのを拒否する時代でも有り、問題は国に収める税金が企業経費として、消え商品を買う消費者側では、特許権なのかも解らずに高い商品を交わされてもテレビ局及び新聞局側は依然国の全額謝金返済対策としては、口を閉ざす態度は昔と変わらないのは、企業で作るテレビ局と企業で作る新聞社では、いつに成ったら国民弱者一人一人の新聞社及びテレビ局と成って、企業側全体を訴える日は来るのかも疑問視するだけで有り特許明示無い事実の様で有る。
【図５８】本来特許番号の明示及び表示が、必要で有り、モーター特許番号表示にお金が特別掛からないはずなのだが、電気企業では、シャープが、一つの空気清浄器の特許番号の明記表示が有ったが、シャープの他の製品の特許番号は不思議と明記していないつまり、世界中の誰でも作ってもかまないとの意思表示と言われても仕方の無い事実で有り、しこの他、新技術と書いても特許番号公開と審査請求番号の公開によって、盗作防止と不正販売を、防ぐ特許法なのだが、最近ラジオで聞かれない日本メーカー同志の特許裁判は、昔多く行われたが、最近はラジオばかりかテレビにも特許裁判のニュースが無いばかりか、新技術の名言だけでテレビ局側でも、特許番号を説明するのを拒否する時代でも有り、問題は国に収める税金が企業経費として、消え商品を買う消費者側では、特許権なのかも解らずに高い商品を交わされてもテレビ局及び新聞局側は依然国の全額謝金返済対策としては、口を閉ざす態度は昔と変わらないのは、企業で作るテレビ局と企業で作る新聞社では、いつに成ったら国民弱者一人一人の新聞社及びテレビ局と成って、企業側全体を訴える日は来るのかも疑問視するだけで有り特許明示無い事実の様で有る。
【図５９】本来特許番号の明示及び表示が、必要で有り、モーター特許番号表示にお金が特別掛からないはずなのだが、電気企業では、シャープが、一つの空気清浄器の特許番号の明記表示が有ったが、シャープの他の製品の特許番号は不思議と明記していないつまり、世界中の誰でも作ってもかまないとの意思表示と言われても仕方の無い事実で有り、しこの他、新技術と書いても特許番号公開と審査請求番号の公開によって、盗作防止と不正販売を、防ぐ特許法なのだが、最近ラジオで聞かれない日本メーカー同志の特許裁判は、昔多く行われたが、最近はラジオばかりかテレビにも特許裁判のニュースが無いばかりか、新技術の名言だけでテレビ局側でも、特許番号を説明するのを拒否する時代でも有り、問題は国に収める税金が企業経費として、消え商品を買う消費者側では、特許権なのかも解らずに高い商品を交わされてもテレビ局及び新聞局側は依然国の全額謝金返済対策としては、口を閉ざす態度は昔と変わらないのは、企業で作るテレビ局と企業で作る新聞社では、いつに成ったら国民弱者一人一人の新聞社及びテレビ局と成って、企業側全体を訴える日は来るのかも疑問視するだけで有り特許明示無い事実の様で有る。
【図６０】本来特許番号の明示及び表示が、必要で有り、モーター特許番号表示にお金が特別掛からないはずなのだが、電気企業では、シャープが、一つの空気清浄器の特許番号の明記表示が有ったが、シャープの他の製品の特許番号は不思議と明記していないつまり、世界中の誰でも作ってもかまないとの意思表示と言われても仕方の無い事実で有り、しこの他、新技術と書いても特許番号公開と審査請求番号の公開によって、盗作防止と不正販売を、防ぐ特許法なのだが、最近ラジオで聞かれない日本メーカー同志の特許裁判は、昔多く行われたが、最近はラジオばかりかテレビにも特許裁判のニュースが無いばかりか、新技術の名言だけでテレビ局側でも、特許番号を説明するのを拒否する時代でも有り、問題は国に収める税金が企業経費として、消え商品を買う消費者側では、特許権なのかも解らずに高い商品を交わされてもテレビ局及び新聞局側は依然国の全額謝金返済対策としては、口を閉ざす態度は昔と変わらないのは、企業で作るテレビ局と企業で作る新聞社では、いつに成ったら国民弱者一人一人の新聞社及びテレビ局と成って、企業側全体を訴える日は来るのかも疑問視するだけで有り特許明示無い事実の様で有る。
【図６１】本来特許番号の明示及び表示が、必要で有り、モーター特許番号表示にお金が特別掛からないはずなのだが、電気企業では、シャープが、一つの空気清浄器の特許番号の明記表示が有ったが、シャープの他の製品の特許番号は不思議と明記していないつまり、世界中の誰でも作ってもかまないとの意思表示と言われても仕方の無い事実で有り、しこの他、新技術と書いても特許番号公開と審査請求番号の公開によって、盗作防止と不正販売を、防ぐ特許法なのだが、最近ラジオで聞かれない日本メーカー同志の特許裁判は、昔多く行われたが、最近はラジオばかりかテレビにも特許裁判のニュースが無いばかりか、新技術の名言だけでテレビ局側でも、特許番号を説明するのを拒否する時代でも有り、問題は国に収める税金が企業経費として、消え商品を買う消費者側では、特許権なのかも解らずに高い商品を交わされてもテレビ局及び新聞局側は依然国の全額謝金返済対策としては、口を閉ざす態度は昔と変わらないのは、企業で作るテレビ局と企業で作る新聞社では、いつに成ったら国民弱者一人一人の新聞社及びテレビ局と成って、企業側全体を訴える日は来るのかも疑問視するだけで有り特許明示無い事実の様で有る。
【図６２】本来特許番号の明示及び表示が、必要で有り、モーター特許番号表示にお金が特別掛からないはずなのだが、電気企業では、シャープが、一つの空気清浄器の特許番号の明記表示が有ったが、シャープの他の製品の特許番号は不思議と明記していないつまり、世界中の誰でも作ってもかまないとの意思表示と言われても仕方の無い事実で有り、しこの他、新技術と書いても特許番号公開と審査請求番号の公開によって、盗作防止と不正販売を、防ぐ特許法なのだが、最近ラジオで聞かれない日本メーカー同志の特許裁判は、昔多く行われたが、最近はラジオばかりかテレビにも特許裁判のニュースが無いばかりか、新技術の名言だけでテレビ局側でも、特許番号を説明するのを拒否する時代でも有り、問題は国に収める税金が企業経費として、消え商品を買う消費者側では、特許権なのかも解らずに高い商品を交わされてもテレビ局及び新聞局側は依然国の全額謝金返済対策としては、口を閉ざす態度は昔と変わらないのは、企業で作るテレビ局と企業で作る新聞社では、いつに成ったら国民弱者一人一人の新聞社及びテレビ局と成って、企業側全体を訴える日は来るのかも疑問視するだけで有り特許明示無い事実の様で有る。
【図６３】本来特許番号の明示及び表示が、必要で有り、モーター特許番号表示にお金が特別掛からないはずなのだが、電気企業では、シャープが、一つの空気清浄器の特許番号の明記表示が有ったが、シャープの他の製品の特許番号は不思議と明記していないつまり、世界中の誰でも作ってもかまないとの意思表示と言われても仕方の無い事実で有り、しこの他、新技術と書いても特許番号公開と審査請求番号の公開によって、盗作防止と不正販売を、防ぐ特許法なのだが、最近ラジオで聞かれない日本メーカー同志の特許裁判は、昔多く行われたが、最近はラジオばかりかテレビにも特許裁判のニュースが無いばかりか、新技術の名言だけでテレビ局側でも、特許番号を説明するのを拒否する時代でも有り、問題は国に収める税金が企業経費として、消え商品を買う消費者側では、特許権なのかも解らずに高い商品を交わされてもテレビ局及び新聞局側は依然国の全額謝金返済対策としては、口を閉ざす態度は昔と変わらないのは、企業で作るテレビ局と企業で作る新聞社では、いつに成ったら国民弱者一人一人の新聞社及びテレビ局と成って、企業側全体を訴える日は来るのかも疑問視するだけで有り特許明示無い事実の様で有る。
【図６４】本来特許番号の明示及び表示が、必要で有り、モーター特許番号表示にお金が特別掛からないはずなのだが、電気企業では、シャープが、一つの空気清浄器の特許番号の明記表示が有ったが、シャープの他の製品の特許番号は不思議と明記していないつまり、世界中の誰でも作ってもかまないとの意思表示と言われても仕方の無い事実で有り、しこの他、新技術と書いても特許番号公開と審査請求番号の公開によって、盗作防止と不正販売を、防ぐ特許法なのだが、最近ラジオで聞かれない日本メーカー同志の特許裁判は、昔多く行われたが、最近はラジオばかりかテレビにも特許裁判のニュースが無いばかりか、新技術の名言だけでテレビ局側でも、特許番号を説明するのを拒否する時代でも有り、問題は国に収める税金が企業経費として、消え商品を買う消費者側では、特許権なのかも解らずに高い商品を交わされてもテレビ局及び新聞局側は依然国の全額謝金返済対策としては、口を閉ざす態度は昔と変わらないのは、企業で作るテレビ局と企業で作る新聞社では、いつに成ったら国民弱者一人一人の新聞社及びテレビ局と成って、企業側全体を訴える日は来るのかも疑問視するだけで有り特許明示無い事実の様で有る。
【図６５】本来特許番号の明示及び表示が、必要で有り、モーター特許番号表示にお金が特別掛からないはずなのだが、電気企業では、シャープが、一つの空気清浄器の特許番号の明記表示が有ったが、シャープの他の製品の特許番号は不思議と明記していないつまり、世界中の誰でも作ってもかまないとの意思表示と言われても仕方の無い事実で有り、しこの他、新技術と書いても特許番号公開と審査請求番号の公開によって、盗作防止と不正販売を、防ぐ特許法なのだが、最近ラジオで聞かれない日本メーカー同志の特許裁判は、昔多く行われたが、最近はラジオばかりかテレビにも特許裁判のニュースが無いばかりか、新技術の名言だけでテレビ局側でも、特許番号を説明するのを拒否する時代でも有り、問題は国に収める税金が企業経費として、消え商品を買う消費者側では、特許権なのかも解らずに高い商品を交わされてもテレビ局及び新聞局側は依然国の全額謝金返済対策としては、口を閉ざす態度は昔と変わらないのは、企業で作るテレビ局と企業で作る新聞社では、いつに成ったら国民弱者一人一人の新聞社及びテレビ局と成って、企業側全体を訴える日は来るのかも疑問視するだけで有り特許明示無い事実の様で有る。
【図６６】本来特許番号の明示及び表示が、必要で有り、モーター特許番号表示にお金が特別掛からないはずなのだが、電気企業では、シャープが、一つの空気清浄器の特許番号の明記表示が有ったが、シャープの他の製品の特許番号は不思議と明記していないつまり、世界中の誰でも作ってもかまないとの意思表示と言われても仕方の無い事実で有り、しこの他、新技術と書いても特許番号公開と審査請求番号の公開によって、盗作防止と不正販売を、防ぐ特許法なのだが、最近ラジオで聞かれない日本メーカー同志の特許裁判は、昔多く行われたが、最近はラジオばかりかテレビにも特許裁判のニュースが無いばかりか、新技術の名言だけでテレビ局側でも、特許番号を説明するのを拒否する時代でも有り、問題は国に収める税金が企業経費として、消え商品を買う消費者側では、特許権なのかも解らずに高い商品を交わされてもテレビ局及び新聞局側は依然国の全額謝金返済対策としては、口を閉ざす態度は昔と変わらないのは、企業で作るテレビ局と企業で作る新聞社では、いつに成ったら国民弱者一人一人の新聞社及びテレビ局と成って、企業側全体を訴える日は来るのかも疑問視するだけで有り特許明示無い事実の様で有る。
【図６７】本来特許番号の明示及び表示が、必要で有り、モーター特許番号表示にお金が特別掛からないはずなのだが、電気企業では、シャープが、一つの空気清浄器の特許番号の明記表示が有ったが、シャープの他の製品の特許番号は不思議と明記していないつまり、世界中の誰でも作ってもかまないとの意思表示と言われても仕方の無い事実で有り、しこの他、新技術と書いても特許番号公開と審査請求番号の公開によって、盗作防止と不正販売を、防ぐ特許法なのだが、最近ラジオで聞かれない日本メーカー同志の特許裁判は、昔多く行われたが、最近はラジオばかりかテレビにも特許裁判のニュースが無いばかりか、新技術の名言だけでテレビ局側でも、特許番号を説明するのを拒否する時代でも有り、問題は国に収める税金が企業経費として、消え商品を買う消費者側では、特許権なのかも解らずに高い商品を交わされてもテレビ局及び新聞局側は依然国の全額謝金返済対策としては、口を閉ざす態度は昔と変わらないのは、企業で作るテレビ局と企業で作る新聞社では、いつに成ったら国民弱者一人一人の新聞社及びテレビ局と成って、企業側全体を訴える日は来るのかも疑問視するだけで有り特許明示無い事実の様で有る。
【図６８】本来特許番号の明示及び表示が、必要で有り、モーター特許番号表示にお金が特別掛からないはずなのだが、電気企業では、シャープが、一つの空気清浄器の特許番号の明記表示が有ったが、シャープの他の製品の特許番号は不思議と明記していないつまり、世界中の誰でも作ってもかまないとの意思表示と言われても仕方の無い事実で有り、しこの他、新技術と書いても特許番号公開と審査請求番号の公開によって、盗作防止と不正販売を、防ぐ特許法なのだが、最近ラジオで聞かれない日本メーカー同志の特許裁判は、昔多く行われたが、最近はラジオばかりかテレビにも特許裁判のニュースが無いばかりか、新技術の名言だけでテレビ局側でも、特許番号を説明するのを拒否する時代でも有り、問題は国に収める税金が企業経費として、消え商品を買う消費者側では、特許権なのかも解らずに高い商品を交わされてもテレビ局及び新聞局側は依然国の全額謝金返済対策としては、口を閉ざす態度は昔と変わらないのは、企業で作るテレビ局と企業で作る新聞社では、いつに成ったら国民弱者一人一人の新聞社及びテレビ局と成って、企業側全体を訴える日は来るのかも疑問視するだけで有り特許明示無い事実の様で有る。
【図６９】本来特許番号の明示及び表示が、必要で有り、モーター特許番号表示にお金が特別掛からないはずなのだが、電気企業では、シャープが、一つの空気清浄器の特許番号の明記表示が有ったが、シャープの他の製品の特許番号は不思議と明記していないつまり、世界中の誰でも作ってもかまないとの意思表示と言われても仕方の無い事実で有り、しこの他、新技術と書いても特許番号公開と審査請求番号の公開によって、盗作防止と不正販売を、防ぐ特許法なのだが、最近ラジオで聞かれない日本メーカー同志の特許裁判は、昔多く行われたが、最近はラジオばかりかテレビにも特許裁判のニュースが無いばかりか、新技術の名言だけでテレビ局側でも、特許番号を説明するのを拒否する時代でも有り、問題は国に収める税金が企業経費として、消え商品を買う消費者側では、特許権なのかも解らずに高い商品を交わされてもテレビ局及び新聞局側は依然国の全額謝金返済対策としては、口を閉ざす態度は昔と変わらないのは、企業で作るテレビ局と企業で作る新聞社では、いつに成ったら国民弱者一人一人の新聞社及びテレビ局と成って、企業側全体を訴える日は来るのかも疑問視するだけで有り特許明示無い事実の様で有る。
【図７０】本来特許番号の明示及び表示が、必要で有り、モーター特許番号表示にお金が特別掛からないはずなのだが、電気企業では、シャープが、一つの空気清浄器の特許番号の明記表示が有ったが、シャープの他の製品の特許番号は不思議と明記していないつまり、世界中の誰でも作ってもかまないとの意思表示と言われても仕方の無い事実で有り、しこの他、新技術と書いても特許番号公開と審査請求番号の公開によって、盗作防止と不正販売を、防ぐ特許法なのだが、最近ラジオで聞かれない日本メーカー同志の特許裁判は、昔多く行われたが、最近はラジオばかりかテレビにも特許裁判のニュースが無いばかりか、新技術の名言だけでテレビ局側でも、特許番号を説明するのを拒否する時代でも有り、問題は国に収める税金が企業経費として、消え商品を買う消費者側では、特許権なのかも解らずに高い商品を交わされてもテレビ局及び新聞局側は依然国の全額謝金返済対策としては、口を閉ざす態度は昔と変わらないのは、企業で作るテレビ局と企業で作る新聞社では、いつに成ったら国民弱者一人一人の新聞社及びテレビ局と成って、企業側全体を訴える日は来るのかも疑問視するだけで有り特許明示無い事実の様で有る。
【図７１】本来特許番号の明示及び表示が、必要で有り、モーター特許番号表示にお金が特別掛からないはずなのだが、電気企業では、シャープが、一つの空気清浄器の特許番号の明記表示が有ったが、シャープの他の製品の特許番号は不思議と明記していないつまり、世界中の誰でも作ってもかまないとの意思表示と言われても仕方の無い事実で有り、しこの他、新技術と書いても特許番号公開と審査請求番号の公開によって、盗作防止と不正販売を、防ぐ特許法なのだが、最近ラジオで聞かれない日本メーカー同志の特許裁判は、昔多く行われたが、最近はラジオばかりかテレビにも特許裁判のニュースが無いばかりか、新技術の名言だけでテレビ局側でも、特許番号を説明するのを拒否する時代でも有り、問題は国に収める税金が企業経費として、消え商品を買う消費者側では、特許権なのかも解らずに高い商品を交わされてもテレビ局及び新聞局側は依然国の全額謝金返済対策としては、口を閉ざす態度は昔と変わらないのは、企業で作るテレビ局と企業で作る新聞社では、いつに成ったら国民弱者一人一人の新聞社及びテレビ局と成って、企業側全体を訴える日は来るのかも疑問視するだけで有り特許明示無い事実の様で有る。
【図７２】本来特許番号の明示及び表示が、必要で有り、モーター特許番号表示にお金が特別掛からないはずなのだが、電気企業では、シャープが、一つの空気清浄器の特許番号の明記表示が有ったが、シャープの他の製品の特許番号は不思議と明記していないつまり、世界中の誰でも作ってもかまないとの意思表示と言われても仕方の無い事実で有り、しこの他、新技術と書いても特許番号公開と審査請求番号の公開によって、盗作防止と不正販売を、防ぐ特許法なのだが、最近ラジオで聞かれない日本メーカー同志の特許裁判は、昔多く行われたが、最近はラジオばかりかテレビにも特許裁判のニュースが無いばかりか、新技術の名言だけでテレビ局側でも、特許番号を説明するのを拒否する時代でも有り、問題は国に収める税金が企業経費として、消え商品を買う消費者側では、特許権なのかも解らずに高い商品を交わされてもテレビ局及び新聞局側は依然国の全額謝金返済対策としては、口を閉ざす態度は昔と変わらないのは、企業で作るテレビ局と企業で作る新聞社では、いつに成ったら国民弱者一人一人の新聞社及びテレビ局と成って、企業側全体を訴える日は来るのかも疑問視するだけで有り特許明示無い事実の様で有る。
【図７３】本来特許番号の明示及び表示が、必要で有り、モーター特許番号表示にお金が特別掛からないはずなのだが、電気企業では、シャープが、一つの空気清浄器の特許番号の明記表示が有ったが、シャープの他の製品の特許番号は不思議と明記していないつまり、世界中の誰でも作ってもかまないとの意思表示と言われても仕方の無い事実で有り、しこの他、新技術と書いても特許番号公開と審査請求番号の公開によって、盗作防止と不正販売を、防ぐ特許法なのだが、最近ラジオで聞かれない日本メーカー同志の特許裁判は、昔多く行われたが、最近はラジオばかりかテレビにも特許裁判のニュースが無いばかりか、新技術の名言だけでテレビ局側でも、特許番号を説明するのを拒否する時代でも有り、問題は国に収める税金が企業経費として、消え商品を買う消費者側では、特許権なのかも解らずに高い商品を交わされてもテレビ局及び新聞局側は依然国の全額謝金返済対策としては、口を閉ざす態度は昔と変わらないのは、企業で作るテレビ局と企業で作る新聞社では、いつに成ったら国民弱者一人一人の新聞社及びテレビ局と成って、企業側全体を訴える日は来るのかも疑問視するだけで有り特許明示無い事実の様で有る。
【図７４】本来特許番号の明示及び表示が、必要で有り、モーター特許番号表示にお金が特別掛からないはずなのだが、電気企業では、シャープが、一つの空気清浄器の特許番号の明記表示が有ったが、シャープの他の製品の特許番号は不思議と明記していないつまり、世界中の誰でも作ってもかまないとの意思表示と言われても仕方の無い事実で有り、しこの他、新技術と書いても特許番号公開と審査請求番号の公開によって、盗作防止と不正販売を、防ぐ特許法なのだが、最近ラジオで聞かれない日本メーカー同志の特許裁判は、昔多く行われたが、最近はラジオばかりかテレビにも特許裁判のニュースが無いばかりか、新技術の名言だけでテレビ局側でも、特許番号を説明するのを拒否する時代でも有り、問題は国に収める税金が企業経費として、消え商品を買う消費者側では、特許権なのかも解らずに高い商品を交わされてもテレビ局及び新聞局側は依然国の全額謝金返済対策としては、口を閉ざす態度は昔と変わらないのは、企業で作るテレビ局と企業で作る新聞社では、いつに成ったら国民弱者一人一人の新聞社及びテレビ局と成って、企業側全体を訴える日は来るのかも疑問視するだけで有り特許明示無い事実の様で有る。
【図７５】本来特許番号の明示及び表示が、必要で有り、モーター特許番号表示にお金が特別掛からないはずなのだが、電気企業では、シャープが、一つの空気清浄器の特許番号の明記表示が有ったが、シャープの他の製品の特許番号は不思議と明記していないつまり、世界中の誰でも作ってもかまないとの意思表示と言われても仕方の無い事実で有り、しこの他、新技術と書いても特許番号公開と審査請求番号の公開によって、盗作防止と不正販売を、防ぐ特許法なのだが、最近ラジオで聞かれない日本メーカー同志の特許裁判は、昔多く行われたが、最近はラジオばかりかテレビにも特許裁判のニュースが無いばかりか、新技術の名言だけでテレビ局側でも、特許番号を説明するのを拒否する時代でも有り、問題は国に収める税金が企業経費として、消え商品を買う消費者側では、特許権なのかも解らずに高い商品を交わされてもテレビ局及び新聞局側は依然国の全額謝金返済対策としては、口を閉ざす態度は昔と変わらないのは、企業で作るテレビ局と企業で作る新聞社では、いつに成ったら国民弱者一人一人の新聞社及びテレビ局と成って、企業側全体を訴える日は来るのかも疑問視するだけで有り特許明示無い事実の様で有る。
【図７６】十年間に一個〜二個つまり、一件〜二件位しか特許権明示及び実用新案登録証の番号付の企業広告は、見た覚えが無く、シャープのプラズマクラスターの空気清浄器パンフレットは、珍品パンフレット中の一品に成り新聞では、手振り電磁誘導発電器装置付腕時計が有り、雑誌では、余り記憶の無い程、特許公開が無ければ不正競争防止法違反の山に成り、30年前の日本の企業間テレビマスコミと日本の企業間ラジオマスコミと日本の企業間新聞欄は、毎月の様に特許裁判の話題の年が有ったが、米の自由化とオレンジの自由化の時代を、経て海外自動車メーカートップスリーが、日本に来てからは余り、商品の技術盗作と不正競争に対しては、日本と無関係のスーパーコンピューター日立事件は、日本国内では、風が通った程度のワンニュースで終わり、最近、さわがないのは日本の原子力海外売電資金にて、海外企業(株)の買い取りが、終わり買収段階だとも言える。通常なら、シャープが、液晶の特許権者ならば、他の日本企業誰一人作らせないのが、資本主義の基本ルールに成り、従って現段階は、企業の口合わせの値段発表時代で有り、金の無い弱者の先技術著作権を、技術先進国海外には、特にアメリカでは、決して無い事に成り、1000兆円近い日本の借金は、マッチ箱の家しか持てなかった弱者国民全体が、作った借金ならば、マスコミ等が、世界で一番〜二番の経済大国を言っていた時代も50年も建たない内に崩壊する世の中もう少し特許明示と表示の義務化と罰則を、重加算税の100倍罰金にしなければ、飲酒運転の無く成らない長い年月と同じ日本の金の有る者の悪ふざけの年が続くと資本主義は、海外から崩れ掛けて来てからは、過去のデフレ時代及びインフレ時代より、止めようの無い時代が来た時は誰が裁くのかは疑問視され、日本国の借金1000兆円は、日本企業に全て借りた金で有り、企業側が、国に借金して倒産した場合、借金帳消しに成るが、日本国が、日本企業に、借金した場合、日本国の倒産は無い従って日本の弱者国民全てが消えるつまり、海外全員の移住以外有り得ない。更に、黒字だった日本郵便局にも、日本国側からの借り入れの話その他、電信電話のNTTなども、二つで、1000兆円以上で買い取らす案も有ったが、現在の資本主義日本では、借金を、返す所か企業を、支える方が優先とした企業より考え方から、農業及び漁業及び林業及び商業の二度と壊さない街作り以外借金より、永遠の安定した日本国弱者全員の安定生活の中に、商品の値段等の不当な値上げ、等は今後、尚更注意しなければ成らない事件に成り、特許番号及び知的所有財産番号の公開を、尚一層強化する必要の時代なのかを、一人一人に問う時代と言える。
【図７７】特許法が、掛かれている本の切抜きだが、最後の書き方では、何々を附するように努めなければ成らない。と書かれているが、言葉に強制的な意味合いの罰則規制書きが一切書かれて居ない、つまり、自動車の飲酒運転が長く続いたが日本の有識者の昔からの悪い癖、自分自ら直さないのは、金に成らないからとは、口に絶対出さないのも日本の有識者で有り、おそらく、日本国が、滅んで海外企業からの融資金などが、騒がれる何も間違って無い国のそれぞれの財産を守る姿勢でも、資本主義は人が居なく成るまで金の取り合いつまり、株式の(株)の永遠の戦いは、弱者国民に関係無く続き、弱者一人一人を巻き込んで行くのが金社会と言う資本主義に成り、金は絶対主義者を未だ大学及び企業と政治家はマスコミは、弱者一人一人の共存の道を、拒否し続けるただ、特許番号及び審査請求結果番号等の知的所有財産番号の公開義務と罰則をしないのは、著作権等の先技術無視の皆が、一つの生まれて来る技術に対して真似を、して金の有る者だけが金持ちに成れば良い考え方と実際ここに書いて公開しても、名誉棄損では訴えて来ない不思議な日本国の一面を、全世界に明らかにした様子だが、ベトナム及びタイ国及びインドネシアが、現在の中国にする日本企業なら日本の使用はゼロに近く成り、原子力問題すら片図いて居ない現在、企業で解らない事を誰が終始を打つのか其れとも、永遠に逃げ続ける日本企業なのかは、おそらく、永遠に、日本企業が日本に戻らない理由に、1000兆円の日本国借金の負担を、日本に入る企業に日本国側が、迫る時代、それが消費税のつりあげそしてもうこれ以上増える借金を止められない対策とは、金の無い者から金は取れないのが事実に成り、どうしようもない結論にしてしまう日本の有識者なのか、資本主義が永遠に続くと信じる者は、海外脱出に成功した要で有り、海外所得税収入は、どの位なのかも見当がつかない現在、絶対に騙されていけないのは、特許権には、特許権料金が、発生するが、一度特許権が切れた商品に対しての特許権の評価は低く商品の値段は下げ目に成る。尚且つ、特開商品とは、特許権商品と異なり、同等な技術を持った技術商品の存在を意味する為、実際不当に商品を作った場合、特許権でなくても、特許権賠償は、一般人でも通用するが、日本国からの国税庁からの税金請求は多額に成るのも事実で有る。更に、著作権発明者は、日本の弱者一人一人の財団しか作らないのは、そして企業側と一緒に経営しない理由に、94パーセントが、国民個人の特許権者または実用新案登録者の全利益100パーセントの内の企業側請求が94パーセントの企業利益回収に成り、例え、世界特許権に成っても、6パーセントだけが特許権国民個人に支払う金額なのは、最近のテレビ公開でも明白の事実に成る。つまり、日本国の資本主義とは、いかなる国民の世界特許発明が有っても、日本国の借金を、多く支払うなど日本の弱者国民では、いかなる発明でも、日本国民を救えない現在の法律は、まさしく日本の有識者は絶対に変えないのは、世界を変える程の発明がこの世に存在した場合資本主義が崩壊するから、例え、世界特許権でも企業利益94パーセントは崩さない考え方と今後の、多くの税金を支払う弱者国民一人一人の戦いの終わりは、資本主義企業国が��少しずつ日本を離れ、今後、益々、日本国民の賃金が下がった時は、要注意で有り、訴える考え方を忘れて行けない時代なのも事実です。尚、一層この様な時代の逆手を取った金設け主義にも要注意しなければ成らない。
【図７８】フロンガスの頃の冷蔵庫で有るが、代替えフロン冷蔵庫と呼ばれた頃の電気用品取締法に基づく表示と家庭用品品質表示法による表示で有り、現在は、意味不明の、シクロペンタンガスとはイソブタンとシクロペンタンガスとは、プロパンガスとインターネット説明に成り、プロパンガスには窒素ガス及び臭素ガス及びヘリウムガスなどに成り、個人では、プロパンガスから、窒素ガスとヘリウムガス等を取除いたプロパンガス名と生の天然ガス名を、一度調べなければ成らない。理由に、長い間、海外が、プロパンガスには、わずかなヘリウムガスと窒素ガスそして、プロパンガスの臭いの元の臭素ガスに成り、シクロペンタンガスとイソブタンガスの窒素ガスとヘリウムガスの含有量及びフロンガス等の含有量の答えは、公表されているのかは、現在未確認に成る。
【図７９】電気ストーブの古いタイプのストーブの電気用品取締法に基づく表示と家庭用品品質表示法に成る。
【図８０】最近のパソコンの裏面の表示項目に成る。
【図８１】2013年6月10日美馬牛自宅にてのプルトニウム充電池に付いての著作権説明図。
【図８２】2013年6月8日美馬牛自宅にてニュートリノのもしかしたらの使い方説明図。
【図８３】2013年6月8日美馬牛自宅にて画像パネルスイッチ空間タッチスイッチ概略図。
【図８４】2013年6月8日美馬牛自宅にて自家用車の二階建てに成り上に荷物倉庫車体スペース8輪タイヤの前4輪作動サスペンス後方4輪は、引っ張り車軸の説明図。
【図８５】2013年6月9日美馬牛自宅にて光電子テレビの説明図。
【図８６】2013年6月9日美馬牛自宅にて中折れ自家用車の構造説明図。
【図８７】2013年6月9日美馬牛自宅にて電気の差し込みジャックの構造説明図。
【図８８】2013年6月9日美馬牛自宅にて家電製品電気減圧調整装置説明図。
【図８９】2013年6月9日美馬牛自宅にて電子官スイッチ説明図。
【図９０】2013年6月9日美馬牛自宅にて電気製品DNA読み込みシステム装置説明図。
【図９１】2013年6月9日美馬牛自宅にて二段階スイッチ三段階スイッチ装置説明図。
【図９２】2013年6月9日美馬牛自宅にてナットボルトのデザイン装置説明図。
【図９３】2013年6月9日美馬牛自宅にてナットボルトのデザイン装置説明図。
【図９４】2013年6月9日美馬牛自宅にて女性用のデザインバッグのデザイン装置説明図。
【図９５】2013年6月9日美馬牛自宅にて女性用のデザインバッグのデザイン装置説明図。
【図９６】2013年6月9日美馬牛自宅にて女性用のデザインバッグのデザイン装置説明図。
【図９７】2013年6月9日美馬牛自宅にて女性用のデザインバッグのデザイン装置説明図。
【図９８】2013年6月10日美馬牛自宅にて女性用のデザインバッグのペンダントデザイン装置説明図。
【図９９】2013年6月10日美馬牛自宅にて携帯電話のカラーライトライン携帯電話の電波キャッチ位置認識連絡装置デザイン装置説明図。
【図１００】2013年6月10日美馬牛自宅にてプルトニウム充電池装置説明図。
【図１０１】2013年6月8日美馬牛自宅にてもしかしてのニュートリノ使い方説明図。
【図１０２】2013年6月8日美馬牛自宅にて耳の遠近感の検査方法の説明図。
【図１０３】2013年6月美馬牛自宅にて携帯電話のデザインの説明図。
【図１０４】2013年6月15日美馬牛自宅にて携帯電話のデザインの説明図。
【図１０５】2013年5月15日美馬牛自宅にて携帯電話パソコンの補助空間説明図。
【図１０６】2013年5月16日美馬牛自宅にて井戸のポンプの有り方説明図。
【図１０７】2013年5月16日美馬牛自宅にて燃えない水素リチウムバッテリー説明図。
【図１０８】2013年5月16日美馬牛自宅にて貯蓄充電池の構造説明図。
【図１０９】2013年5月16日美馬牛自宅にて貯蓄充電池の構造説明図。
【図１１０】2013年5月16日美馬牛自宅にて貯蓄充電池の構造説明図。
【図１１１】2013年5月17日美馬牛自宅にて冷却配管との構造説明図。
【図１１２】2013年5月美馬牛自宅にて電動仕切り弁と配管構造説明図。
【図１１３】2013年5月美馬牛自宅にて草刈機械の交換刃説明図。
【図１１４】2013年5月美馬牛自宅にて草刈機械の交換刃説明図。
【図１１５】2013年5月美馬牛自宅にて竹材の処理説明文書図。
【図１１６】2013年5月美馬牛自宅にて自動充電池の説明図。
【図１１７】2013年5月美馬牛自宅にて携帯電話の説明図。
【図１１８】2013年5月30日美馬牛自宅にて自動車のチエーン説明図。
【図１１９】2013年5月30日美馬牛自宅にて生トラック輸送方法説明図。
【図１２０】2013年5月美馬牛自宅にて地下金庫の説明図。
【図１２１】2013年5月31日美馬牛自宅にてデザイン時計の説明図。
【図１２２】2013年5月31日美馬牛自宅にてデザイン時計の説明図。
【図１２３】2013年6月1日美馬牛自宅にて指輪のデザインの説明図。
【図１２４】2013年6月1日美馬牛自宅にて指輪のデザインの説明図。
【図１２５】2013年6月1日美馬牛自宅にて指輪のデザインの説明図。
【図１２６】2013年6月美馬牛自宅にて付けボタンのデザインの説明図。
【図１２７】2013年6月美馬牛自宅にて指輪のデザインの説明図。
【図１２８】2013年6月美馬牛自宅にてインテリアパソコンの説明図。
【図１２９】2013年6月美馬牛自宅にてインテリアパソコンの説明図。
【図１３０】2013年6月2日美馬牛自宅にて携帯電話等の感染症対策説明図。
【図１３１】2013年6月2日美馬牛自宅にて砂鉄の使い方説明図。
【図１３２】2013年6月美馬牛自宅にてパソコン等のピンの説明図。
【図１３３】2013年6月3日美馬牛自宅にてゴースト電波の対処方法説明図。
【図１３４】2013年6月5日美馬牛自宅にて携帯電話の裏面側のデザイン方法説明図。
【図１３５】2013年6月6日美馬牛自宅にてハイジャック全自動説明図。
【図１３６】2013年6月5日美馬牛自宅にて放射線を使ったカメラ説明図。
【図１３７】2013年6月美馬牛自宅にて電子電波望遠鏡の説明図。
【図１３８】2013年6月5日美馬牛自宅にて海水ウランライトの説明図。
【図１３９】2013年6月7日美馬牛自宅にてカメラと映写機説明図。
【図１４０】2013年6月25日美馬牛自宅にて水洗トイレ説明図。
【図１４１】2013年6月24日美馬牛自宅にて冷蔵庫デザイン説明図。
【図１４２】2013年6月18日美馬牛自宅にてカラー異種異形バーコードデザイン説明図。
【図１４３】2013年6月22日美馬牛自宅にて電子レンジデザイン説明図。
【図１４４】2013年6月22日美馬牛自宅にて冷蔵庫デザイン説明図。
【図１４５】本発明の異種異形バーコード被写体とカメラの関係説明図。
【発明を実施するための形態】
【００７５】
以下本発明の実施の形態を図1〜図に基づいて説明する。
【００７６】
図1に於いては、図8の農業及び漁業及び林業及び水産加工業及び農業加工業及び林業加工業及び土ガラス加工業及び石油加工業及びガス加工業及び金属加工業及びリサイクル業及び新産業に、自動車金属及び電気商品金属再生加工業及び船金属再生加工業及び建設機械金属再生加工業及びバイク自転車金属再生加工業等の、頭文字を、円形枠に入れたデザイン枠に成り、二つの正方形の45度中心点回転の二つの正方形異種異形バーコードの外形形状の異なった形のラインに成り、上記加工業の類する二つの正方形の異種異形ラインに成り、図8の228の六角形の中に三角形と正方形の点枠の代わりに北海道1の青森県2の秋田県3の岩手県4の宮城県5の山形県6の福島県7の茨城県8の栃木県9の群馬県10の埼玉県11の千葉県12の東京都13の神奈川県14の長野県15の山梨県16の静岡県17新潟県18の愛知県19の岐阜県20三重県21の富山県22の石川県23の福井県24の滋賀県25の京都府26の大阪府27の兵庫県28の奈良県29の和歌山県30の鳥取県31の島根県32の岡山県33の広島県34の山口県35の徳島県36の香川県37の愛媛県38の高知県39の福岡県40の佐賀県41の長崎県42の熊本県43の大分県44の宮崎県45の鹿児島県46の沖縄県47の数字が、図8の228の六角形に三角形の入ったデザイン主体の数字で47都道府県を区別する手段を用いたカラー異種異形バーコードの中の異種異形のみのバーコード区分け手段に成る。
【００７７】
図2に於いては、カラー異種異形バーコードは、世界中のあらゆる物質物体に対応した通常のバーコードでは、限界が出て来る為、図9の230の国名は、八角形ライン形に対して数本の横の直線ラインに対して複数色つまり、それぞれの横ライン空間に対して複数色の言葉文字のカタカナ色文字説明として、48のアの赤色と49のイの青色と50のウの黄色と51のエの紫色と52のオの黒色と53のカのボタン色と54のキの水色と55のクのクリームイエロー色と56のケのラベンダー色と57のコの白色と58のサのコーラルレッド色と59のシのアザーブルー色と60のスのマシコット色と61のセのリンドウ色と62のソのエンパク色と63のタのマジェンタ色64のチのカメノゾキ色と65のツの卵色と66のテのフジムラサキ色と67のトのキナリ色と68のナのバラ色と69のニのワスレナグサ色と70のヌのシャンパン色と71のネのキキョウ色と72のノのカイハクショク色と73のハのローズ色と74のヒのアザーブルー色75のフのジャスミン色と76のへのバイオレット色と77のホのウノハナ色78のマのコチニールレッド色と79のミのセレスト色と80のムのミモザ色と81のメのパンジー色と82のモのパールホワイト色と83のヤのクレナイ色と84のユのネープルスイエーロ色と85のヨのスナ色と86のラのカーマイン色と87のリのミズアサギ色と88のルのクチナシ色と89のレのパープル色と90のロのフオッグ色と91のワのトマトレッド色と92のガのシグナルレッド色93のギのチグサ色と94のグのナノハナ色と95のゲのコダイムラサキ色と96の
ゴのシルバーホワイト色と97のザのスカーレッド色と98のジのシンバシ色と99のズのカナリア色と100のゼのロヤールパープル色101のゾのスカイグレイ色と102のダのフアィアレッド色と103のヂのオールドブルー色と104のヅのカリヤス色と105のデのピアニー色と106のドのシルバーグレイ色と107のバのベニヒ色108のビのアクアマリン色と109のブのシヤルトルーズイエロー色110のベのアメシスト色と111のボのアッシュグレイ色112のパのニ色と113のピのナイルブルー色と114のプのサルファーイエロー色115のぺのフタアイ色と116のポのフシ色と117のンの金色の言葉文字を図9の色の複数のライン色によって、235の国際特許番号は、長方形の角に対しての四分の一円形に対して複数の直線ラインそれぞれの色合わせによって、国際特許番号の複数色の69色の色合わせによって、国際特許番号の呼び出しを可能にし、232の国々の特許権番号の場合は、長方形の角の三角形に対して数本の直線ラインは複数色の69色の色合わせによって国々の特許権番号を区分けする事に成り、231の商品部材料金説明は、六角形のラインの中にアルファベットと数字の組み合わせによって商品部材料金説明に成り、234の商品登録番号は、数字を○円で囲んだ数字に成り、商品に対しての235の国際特許番号と232の国々の特許番号とその商品に対しての231の商品部材料金説明が同時に見る事が出来る知的所有財産のインターネット引き出し手法に成り、233の長方形の角に対しての正方形の中の三角形の多形重ね合わせラインの読み込みによって、233の審査請求審査結果番号を見る事が出来る言葉文字の69色のカタカナ文字説明に成る。
【００７８】
図3の132の魚の種類データーのカラー異種異形バーコードは、118の六角形の中に正三角形が有り小さなまるの海魚の異種異形バーコードに成り、119の六角形の中に円の中の円に依る海養殖魚の海魚の異種異形バーコードに成り、120の六角形の中の正方形の中に丸の海陸養殖魚の異種異形バーコードに成り、121の六角形の中に90度回転の正方形の中の六角形の川魚データーの異種異形バーコードに成り、122の六角形の中の円の中の正方形の湖魚データーの異種異形バーコードに成り、123の六角形の中に卵形状の楕円形の中に正方形複数形状重ねの川養殖に成り、124の海水透水光度数データーを呼び出す為の六角形上下左右に円形の半分ずつ六角形の外に出した二重円形の外形ラインに対しての中央の小さ目な六角形の中に正方形が有り、中に丸円の三重デザインバーコードが有り、これらバーコード空間位置に、対してのバーコード位置設定の小さな○円位置に於いての海水透水光度数データーの位置バーコードに成り、125の魚の育成温度データーは、卵型の楕円形状体の中に複数の直線ライン線の入った異種異形バーコード成り、126の魚を捕った方法データーを示すバーコードは正三角形に複数の横ラインに対して縦に一本の直線ラインの有る異種異形バーコード成り、127の魚の捕れた海上GPSの位置年月日データーは半円の中の小さな六角形に直線の十字ライン入り六角形の異種異形バーコード成り、128の魚の内臓物検査データーに対しては小さな正方形に縦の二本の直線ラインに対して正方形の中央横に直線ラインの異種異形バーコード成り129の全自動波計測データーは、半円の中に丸円に対して四本の縦の直線ラインに対して丸円中央横に一本の直線ラインを入れた異種異形バーコード成り、130の魚の捕れた時間データーに対してダイヤのマークに対して中央に丸円の異種異形バーコード成り、131の海水のバクテリア全自動計数値データーに対して六角形上下左右に円形の半分ずつ六角形の外に出した二重円形の外形ラインに対しての中央の小さ目な六角形の中に正方形が有り、中に丸円の三重デザインバーコードが有り、これらバーコード空間位置に、対してのバーコード位置設定の小さな二重丸円に対して縦の直線ライン形状の異種異形バーコード位置に於いての海水のバクテリア全自動計数値データーの異種異形バーコード成り、133の海上地震磁波データーのバーコートは六分の二の円形内に六角形に対して縦の直線ライン三本が入り更に中央横に一本の直線ラインが入った海上地震磁波データーの異種異形バーコードに成り、132の魚の種類それぞれの分野事に、魚の種類分けのデーターが一目で解るインターネットカラー異種異形バーコードに成る。
【００７９】
図4の154の肉の種類データーのカラー異種異形バーコード形状は、縦形状の卵型楕円形状の中心に対して直角横に卵型楕円形状が取り付けられ、二つの楕円形状の合わさった位置に正方形ラインに対して正六角形形状ラインが入り、全体の正六角形上の角部分に対して小さな丸円が、正六角形の角隅に対して小さな丸円ラインが描かれている154の肉の種類データーに成り、因みに、135の鹿肉は、正方形ラインに対して正六角形形状ラインが入り、全体の六角形上の角部分に対して小さな丸円が、正六角形の角隅に対して小さな丸円ラインが描かれている135の鹿肉バーコードに成り、136の猪肉は、正方形ラインに対して正六角形ラインが入り、更に小さな正方形ラインの入った異種異形バーコードに成り、137の熊肉は、正方形ラインに対して正方形の異なった大きさの正方形三つが、異なった45度の角度に収まる三重の正方形の異種異形バーコードに成り、138の豚肉は、正方形ラインに対して小さな正三角形の上部分の正三角形の頂点部分中心に小さな丸円の取り付けた複数ライン重ねの異種異形バーコードに成り、139の山羊肉は、正方形ラインに対してもう一つの小さな正方形の二重正方形ラインに対して小さな正方形の上の水平ラインの中心部分に小さな丸円が描かれた複数ライン重ね形状の異種異形バーコードに成り、140の羊肉は、正方形ラインの中央に異形半月の先端中心に小さな丸円が描かれている異種異形バーコードに成り、141の兎肉は、正方形ラインの中央に小さなダイヤ形状ラインの上部先端部中心に小さな丸円が描かれている異種異形バーコードに成り、142の牛肉は、正方形ラインの中央に小さな異形ハテナマークの点部分に小さな丸円が描かれている異種異形バーコードに成り、143の鶏肉は、正方形ラインの中央に小さな星マークの上の先端部分中心に対して小さな丸円が描かれた異種異形バーコードに成り、144の鴨肉は、正方形ラインの中央に小さな水滴ライン形状マーク上部先端部中心に小さな丸円が描かれている異種異形バーコードに成り、145の雉肉は、正方形ラインの中央に小さな半円の上部先端に小さな丸円が描かれている異種異形バーコードに成り、146の蛇肉は、正方形ラインの中央に二つ合わせの五角形の異形六角形の上部部分に小さな丸円が描かれている異種異形バーコードに成り、147の馬肉は、正方形ラインの中央に八の花びら形状ラインに対して小さな正方形ラインが組み込まれ、更に小さな小丸が描かれている異種異形バーコードに成り、148の肉の捕れた地方場所年月日データーのバーコード形状は二つの楕円形状の合わさった位置に正方形ラインに対して正六角形形状ラインが入り、全体の六角形上の角部分に対して小さな丸円が、六角形の角隅に対して小さな丸円ラインが描かれている異種異形バーコードに対して、左上部の二つの楕円形ラインが重なり合う部分に正六角形の中心部分に小さな丸円が描かれている異種異形バーコードに成り、149の肉の成分データーは二つの楕円形状の合わさった位置に正方形ラインに対して正六角形形状ラインが入り、全体の六角形上の角部分に対して小さな丸円が、六角形の角隅に対して小さな丸円ラインが描かれている異種異形バーコードに対して右上部の二つの楕円形ラインが重なり合う部分に二重の丸円の異種異形バーコードに成り、150の生肉の細菌温度繁殖時間データーは二つの楕円形状の合わさった位置に正方形ラインに対して正六角形形状ラインが入り、全体の六角形上の角部分に対して小さな丸円が、六角形の角隅に対して小さな丸円ラインが描かれている異種異形バーコードに対して二重の正三角形ラインに対して中央に丸点が有る異種異形バーコードに成り、151の調理温度時間データーに対して三角形に対して小さな正六角形が入り正六角形の中心に丸点が描かれている異種異形バーコードに成り、152の種の保存状況データーは、二つの楕円形状の合わさった位置に正方形ラインに対して正六角形形状ラインが入り、全体の六角形上の角部分に対して小さな丸円が、六角形の角隅に対して小さな丸円ラインが描かれている異種異形バーコードに対して正方形の中心に小さな丸円か描かれている異種異形バーコードに成り153の調理方法データーは二つの楕円形状の合わさった位置に正方形ラインに対して正六角形形状ラインが入り、全体の六角形上の角部分に対して小さな丸円が、六角形の角隅に対して小さな丸円ラインが描かれている異種異形バーコードに対して三重の卵型楕円形リングライン形状の異種異形バーコードに成り、155の肉の保存状態温度管理データーは二つの楕円形状の合わさった位置に正方形ラインに対して正六角形形状ラインが入り、全体の六角形上の角部分に対して小さな丸円が、六角形の角隅に対して小さな丸円ラインが描かれている異種異形バーコードに対して正三角形の中心に丸円が描かれている異種異形バーコード。
【００８０】
図5の177の野菜の種類データーに成り、異種異形バーコードの外形ライン形状説明に対して、長方形ラインに対して長方形中間に正方形の形状ラインを長方形上下に中間に対して少し間を空けた全体形状に対して、左上片隅の角に小さ目の星形形状ラインを描き、星形形状上部に小さな円形ラインを描いた156の畑作野菜のデザインバーコードに成り、157のハウス
野菜は、星形形状の上部の先を中心に小さめの六角形ラインを取り付けた異種異形バーコード成り、158の水耕野菜は、星形形状の上部の先を中心に小さめの三角形を逆さに星形状の先端同志で取り付けた異種異形バーコードに成り、159は山菜野菜光成育データーに成り、星形形状の上部の先を中心に小さめの横長の六角形を星形形状の先端に取り付けた異種異形バーコードに成り、160の川野菜データーは、星形形状の上部の先を中心に小さめの正方形ラインを取り付けた異種異形バーコード成り161の果物データーは、星形形状の上部の先を中心に小さめの左水平方向向きの矢印を取り付けた形状の異種異形バーコード成り、162の水田沼野菜データーは、星形形状の上部の先を中心に小さめのハートマークを取り付けた形状の異種異形バーコードに成り、163の海岸野菜データーは、星形形状の上部の先を中心に小さめの矢羽部分のデザイン形状体を、星形形状の先部分に取り付けた異種異形バーコードに成り、164のバイオ養殖野菜データーは、星形形状の上部の先を中心に小さめのダイヤ形状のラインを取り付けた異種異形バーコードに成り、165の海外野菜データーは、星形形状の上部の先を中心に小さめの半分の大レンズ形状のラインを取り付けた異種異形バーコードに成り、166の薬生野菜データーは、星形形状の上部の先を中心に小さめの五角形の形状ラインを取り付けた異種異形バーコードに成り、167の海外果物データーは、星形形状の上部の先を中心に小さめの水滴形状を真横にした形状ラインを取り付けた異種異形バーコードに成り、168の加工食品野菜データーは、星形形状の上部の先を中心に小さめの五つの花びら形状ラインを取り付けた異種異形バーコードに成り、169の野菜の捕れた場所年月日GPS地図データーは、長方形ラインに対して長方形中間に正方形の形状ラインを長方形上下に中間に対して少し間を空けた全体形状に対して、左上片隅の角に小さ目の星形形状ラインを描き、星形形状上部に小さな円形ラインを描いた異種異形バーコードの左上片隅の四角形の中心に小さめの丸円を描いた169の野菜の捕れた場所年月日GPS地図データーの異種異形バーコードに成り、170の生野菜の劣化スピードデーターは、異種異形バーコード全体の右上の四角形の中に小さな正方形ラインを入れた異種異形バーコードに成り、171の薬野菜使用例データーは、異種異形バーコード全体の左下の四角形の中に小さな大レンズ縦割り半分の形状ライン図を取り付けた異種異形バーコードに成り、173の野菜流通量データーは、異種異形バーコード全体の右下の四角形の中に小さな異形ハート図を真横に取り付けた異種異形バーコードに成り、172の野菜の光り成育データーは、異種異形バーコード全体の左下上の四角形の中に小さな
六角形ライン図を入れた異種異形バーコードに成り、174の野菜成分データーは、異種異形バーコード全体の右下上の四角形の中に小さな星形状ライン図を入れた異種異形バーコードに成り、175の調理方法データーは、異種異形バーコード全体の右下の四角形の中に小さな横長の六角形ライン図を入れた異種異形バーコードに成り、176の野菜の放射線データーは、異種異形バーコード全体の左下の四角形の中に小さな縦長三角形ライン図を入れた異種異形バーコードに成り、178は、別途の現時点野菜成分データーは、異種異形バーコード全体の四角形の中に小さな星形状ラインに対して小丸を星形形状に入れた異種異形バーコード。
【００８１】
図6の建築用の木材板に関しての異種異形バーコードの図179の木材板データーは、上下半円の長方形ライン図を横にした図の両サイドと上下に其々上下半円の長方形ライン図を取り付け179のビンを立てたライン図のビンの先に小さな丸円ライン図を取り付けた異種異形バーコード図は、上下半円の長方形ライン図を横にした図の両サイドと上下に其々上下半円の長方形ライン図を取り付けた図に填め込む179の木材板データー図に成る。
【００８２】
この他、図6の180の海外木材板は、ビンを立てたライン図のビンの先に小さな長方形の上側に小丸の突起形状ラインを取り付けた異種異形バーコード図に成り、181の日本合板は、ビンを立てたライン図のビンの先に小さな二角が長方形の丸まった長方形ライン図を取り付けた異種異形バーコード図に成り、182の海外合板は、ビンを立てたライン図のビンの先に小さな正方形ライン図を取り付けた異種異形バーコード図に成り、183の乾燥剤入り木材板は、ビンを立てたライン図のビンの先に小さな長方形ライン図を取り付けた異種異形バーコード図に成り、184の乾燥剤入り木材柱は、ビンを立てたライン図のビンの先に小さな四分の一の円つまり扇型形状の円を縦ビンの先に取り付けたライン図の異種異形バーコード図に成り、185の防虫剤入り木材板は、ビンを立てたライン図のビンの先に小さな正方形ラインを取り付けた異種異形バーコード図に成り、186の防虫剤入り木材柱は、ビンを立てたライン図のビンの先に小さな長三角形ラインを真横にしたラインを取り付けた異種異形バーコード図に成り、187の合成木材は、ビンを立てたライン図のビンの先に小さなダイヤ形状ライン図を真横にした図を取り付けた異種異形バーコード図に成り、188の防腐剤入り木材は、ビンを立てたライン図のビンの先に小さな五角形形状ライン図を取り付けた異種異形バーコード図に成り、199の燃えない木材は、ビンを立てたライン図のビンの先に小さな六角形ライン図と正三角形を逆さにしたライン図を六角形ライン図の上側に取り付けた異種異形バーコード図に成る。
【００８３】
図6の続きとして、189の木材の生産国種類年月日データーは、ビンを立てたライン図のビンの先に小さな二重の小丸円を取り付けた異種異形バーコード図に成り、190の木材害虫データーは、中央の長方形上下の長い部分に対して半円をそれぞれ取り付けた形状に成り、横にした半円を左右に取り付けた長方形形状図の中央から上側に同じく長方形上下の長い部分に対して半円をそれぞれ取り付けた形状ラインを立てて使用した接合部分に二重の小丸円形状を取り付けた異種異形バーコード図に成り、191の木材の燃えるスピードデーターは、小さな正方形の中に矢印の向きが左向きの異種異形バーコード図に成り、192の耐久度データーは、小さな丸円の中に、小さな正方形ライン図の中に更に、小さな小丸ライン図を入れた三重重ねライン図を中央の長方形上下の長い部分に対して半円をそれぞれ取り付けた形状の右隅に三重重ねライン図を書き込んだ異種異形バーコード図に成り、193の木材の薬使用全データーは、小さな卵型楕円形を立てた形状ライン図に対して楕円形の中央に小丸ライン形状図を入れた二重ライン図を、右側の左右に半円それぞれを取り付けた長方形形状図の合わせ部分の空間に二重ライン図を貼り付けた異種異形バーコード図に成り、194の木材再利用回数を示すライン図は小さな丸円の中央の中心から両サイド両先矢印形状の異種異形バーコード図に成り、195の木材処理方法データーの炭利用一例等のデーターは、正三角形を、逆さにした正三角形に、少し小さ目の逆さ正三角形を少しずらした正三角形の先に小丸を取り付けた三重ライン形状図を取り付けた異種異形バーコード図に成り、196の木材の使用限界年度数データーは、小さな正方形の中心から両サイドに両先矢形状図を正方形の中心から両サイドに書き込んだ異種異形バーコード図に成り、197の木材の重さ乾燥度データーは、正六角形の中央に小丸ラインを入れた異種異形バーコード図に成り、198の木材過去使用例データーは、正方形を45度傾けたダイヤ型正方形に大きめの十字直線ラインを入れた異種異形バーコード。
【００８４】
図7の216のレンガ陶器の種類データーは、200のレンガパネルの異種異形はーコード図は、太矢先を垂直に向けた場所に小丸形状ライン図を取り付けた異種異形バーコード図に成り、201の陶器パネルの異種異形バーコード図は、太矢先を垂直に向けた場所に小さな楕円小丸の中に半月を90度傾けた形状ライン図を入れた異種異形バーコード図に成り、202の軽量レンガパネルの異種異形バーコード図は、太矢先を垂直に上に向けた矢の先方向に正方形ダイヤ形状ライン図を入れた異種異形バーコード図に成り、203の軽量陶器パネルは、異種異形バーコード図の太矢先を垂直に上に向けた矢の先方向に正三角形の中に小丸ラインを取り付けた異種異形バーコード図に成り、204の石入りレンガパネルは、異種異形バーコード図の太矢先を垂直に上に向けた矢の先方向に小さな楕円小丸に更に小さな小丸を天辺の中心部に取り付けた異種異形バーコード図に成り、205の金属彫り型レンガパネルは、異種異形バーコード図の太矢先を垂直に上に向けた矢の先方向に小さな大レンズを縦切にした小さなライン図を、Ｔの字に矢先部分に取り付けた異種異形バーコード図に成り、206のボルト留め型レンガパネルは、異種異形バーコード図の太矢先を垂直に上に向けた矢の先方向に小さな三角の丸い正三角形ライン図を太目矢先ライン図に取り付けた異種異形バーコード図に成り、207の軽量多色重ね焼き陶器パネルは、異種異形バーコード図の太矢先を垂直に上に向けた矢の先方向に小さな八画の花びらライン図を太矢先部分に取り付けた異種異形バーコード図に成り、208の反射板填め込み型軽量レンガパネルは、異種異形バーコード図の太矢先を垂直に上に向けた矢の先方向に小さな八角形の中心にダイヤ形状の正方形ライン図を取り付けた異種異形バーコード図に成り、209の水吹き出し装置付軽量レンガパネルは、異種異形バーコード図の太矢先を垂直に上に向けた矢の先方向に小さなハテナカギ印を太矢先に取り付けた異種異形バーコード図に成り、210の鉄筋入りレンガパネルは、異種異形バーコード図の太矢先を垂直に上に向けた矢の先方向に小さな星印ラインの中心に、小さな小丸ラインの二重ラインを入れた異種異形バーコード図に成り、211の免震用軽量レンガパネルは、異種異形バーコード図の太矢先を垂直に上に向けた矢の先方向に小さなハートマークの中に小丸ラインの二重ラインを入れた異種異形バーコード図に成り、212の海外レンガパネルは、異種異形バーコード図の太矢先を垂直に上に向けた矢の先方向に少し大きめの矢先が左水平方向向きの矢印を取り付けた異種異形バーコード図に成り、213の軽量レンガの作り型及びデーター年月日作成場所の解る異種異形バーコード図の小型の六角の上下の先端を中心に、小丸ラインを入れた異種異形バーコード図に成り、214の軽量陶器の作り型及びデーター年月日作成場所の解る異種異形バーコード図の小型の正方形の上下の先端を中心に、小丸ラインを入れた異種異形バーコード図に成り、215の粘土材の採れた場所データーの解る異種異形バーコード図の小型の卵型楕円形形状の中に左向きの勲章布形状ラインの中に、小丸ラインを入れた異種異形バーコード図に成り、217のレンガ陶器の歴史使われ方データーの解る異種異形バーコード図の小型の卵型楕円形形状の中に右向きの勲章布形状ラインの中に、超小型の正方形ラインを入れた異種異形バーコード図。
【００８５】
図8の218の農業分野製品バーコードは、正方形ラインに対して同じ正方形ラインを重ねた状態で中心を支点にして45度回転させた二重ライン枠の中に小丸の中に農の文字と同時に小丸両サイドの内側と下側に小さな三角ラインを取り付けた異種異形バーコード図に成り、220の農業耕作土質バーコードは、二重正方形ラインの上部三角空間の中に小さな正六角形と正六角形の中に超小型正六角形の二重ラインを取り付けた異種異形バーコード図に成り、221の市町村区の区分けバーコードは、小さ目の正三角形に対して、縦の数本のカラーラインを入れた異種異形バーコード図に成り、222の全自動計測地温計バーコードは、二重正方形ラインの左上部の三角空間地域の三角形上部の二辺の三角ラインに小さな正方形ライン図を取り付けた異種異形バーコード図に成り、223の肥料分類データーバーコードは、二重正方形ラインの左サイド先端部の三角空間地域の中に二重の小丸ラインを三角形ライン内に入れた異種異形バーコード図に成り、224の収穫時期データーバーコードは、小さな長方形ラインの中に横並び均等に二つの超小型小丸ラインを入れた異種異形バーコード図に成り、225の植物分布図のデーターバーコードは、二重正方形ラインの下部三角空間の中に小さな正六角形ラインの中心部サイドに直線ラインを入れた異種異形バーコード図に成り、226の人力と機械種類データーバーコードは、二重正方形ラインの下部右隅の三角空間の中に小さな二重小丸両サイド直線ライン上に小丸ラインを入れた異種異形バーコード図に成り、227の水耕栽培と野外耕作栽培の区別データーバーコードは、二重正方形ラインの中心より左下側に小さな正方形ラインの中に十字直線の二本の十字空間ラインを入れた異種異形バーコード図に成り、228の都道府県番号データーバーコードは、二重正方形ラインの中心より左側に正六角形ラインの中に正三角形ラインを填め込み、正三角形ラインの中心に超小型の正方形ラインを入れた異種異形バーコード図に成り、229の放射線量データーバーコードは、二重正方形ラインの中心より右側に正六角形の中に小さな正方形ラインの中に小さな小丸ラインを入れた異種異形バーコード図。
【００８６】
図9の商品の知的所有財産掲示及び明示方法の有り方解説に成り、235の国際特許番号は、長方形ラインデーターバーコードの左上の角に扇型半円ラインの中を、複数の直線ラインで区切った複数の直線カラーラインバーコードによって国際特許番号を全自動検索するシステムに成り、230の国名は、商品を作って販売した国名を検索する為の八角形ラインの中を複数の直線ラインで区切った複数の直線カラーラインバーコードによって国名を全自動検索するシステムに成り、231の商品部材料金説明は、六角形ラインの中にローマ字と英数字によって直接インターネット検索と情報取り出しが出来る異種異形バーコード図体に成り、232の国々の特許権番号は、長方形ラインデーターバーコードの左下の角に扇型半円ラインの中を、複数の直線ラインで区切った複数の直線カラーラインバーコードによって国々の特許権番号を直接インターネット検索と情報取り出しが出来るカラーラインバーコードのカラー異種異形バーコード図に成り、233の審査請求審査結果番号は、長方形ラインデーターバーコードの右下の角に小さい正方形ラインの中に正三角形ラインを入れた異種異形バーコード図体に成り、234は、商品登録番号は、長方形ラインデーターバーコードの中央下側に半円ラインの中に三個の三角並びの小丸ライン三個の中に数字を書き込んだカラー異種異形バーコード。
【００８７】
図の10の236のカラー異種異形バーコード見本図に対して、カメラの237の大レンズと239の凸レンズと238の高出力CCDパネルは、236のカラー異種異形バーコード見本図の被写体を感知し240の被写体カラー異種異形バーコード確認認識全自動作動インターネット接続回路装置によって、インターネット接続を電波送受信装置によって可能にして241の通常カメラ回路との切り替えは、242のスイッチ及びスイッチ回路によって全自動被写体撮影を可能にしているインターネット送受信装置積載のカラー異種異形バーコード全自動確認認識のカメラシステム。
【符号の説明】
【００８８】
1    北海道のカラー異種異形バーコード番号1
2    青森県のカラー異種異形バーコード番号2
3    秋田県のカラー異種異形バーコード番号3
4    岩手県のカラー異種異形バーコード番号4
5    宮城県のカラー異種異形バーコード番号5
6    山形県のカラー異種異形バーコード番号6
7    福島県のカラー異種異形バーコード番号7
8    茨城県のカラー異種異形バーコード番号8
9    栃木県のカラー異種異形バーコード番号9
10   群馬県のカラー異種異形バーコード番号10
11   埼玉県のカラー異種異形バーコード番号11
12   千葉県のカラー異種異形バーコード番号12
13   東京都のカラー異種異形バーコード番号13
14   神奈川県のカラー異種異形バーコード番号14
15   長野県のカラー異種異形バーコード番号15
16   山梨県のカラー異種異形バーコード番号16
17   静岡県のカラー異種異形バーコード番号17
18   新潟県のカラー異種異形バーコード番号18
19   愛知県のカラー異種異形バーコード番号19
20   岐阜県のカラー異種異形バーコード番号20
21   三重県のカラー異種異形バーコード番号21
22   富山県のカラー異種異形バーコード番号22
23   石川県のカラー異種異形バーコード番号23
24   福井県のカラー異種異形バーコード番号24
25   滋賀県のカラー異種異形バーコード番号25
26   京都府のカラー異種異形バーコード番号26
27   大阪府のカラー異種異形バーコード番号27
28   兵庫県のカラー異種異形バーコード番号28
29   奈良県のカラー異種異形バーコード番号29
30   和歌山県のカラー異種異形バーコード番号30
31   鳥取県のカラー異種異形バーコード番号31
32   島根県のカラー異種異形バーコード番号32
33   岡山県のカラー異種異形バーコード番号33
34   広島県のカラー異種異形バーコード番号34
35   山口県のカラー異種異形バーコード番号35
36   徳島県のカラー異種異形バーコード番号36
37   香川県のカラー異種異形バーコード番号37
38   愛媛県のカラー異種異形バーコード番号38
39   高知県のカラー異種異形バーコード番号39
40   福岡県のカラー異種異形バーコード番号40
41   佐賀県のカラー異種異形バーコード番号41
42   長崎県のカラー異種異形バーコード番号42
43   熊本県のカラー異種異形バーコード番号43
44   大分県のカラー異種異形バーコード番号44
45   宮崎県のカラー異種異形バーコード番号45
46   鹿児島県のカラー異種異形バーコード番号46
47   沖縄県のカラー異種異形バーコード番号47
48    ア〜始まる特許番号文書図を紹介する組み合わせ異種異形カラー順番色バーコード図の、赤色
49    イ〜始まる特許番号文書図を紹介する組み合わせ異種異形カラー順番色バーコード図の、青色
50    ウ〜始まる特許番号文書図を紹介する組み合わせ異種異形カラー順番色バーコード図の、黄色
51    エ〜始まる特許番号文書図を紹介する組み合わせ異種異形カラー順番色バーコード図の、紫色
52    オ〜始まる特許番号文書図を紹介する組み合わせ異種異形カラー順番色バーコード図の、黒色
53    カ〜始まる特許番号文書図を紹介する組み合わせ異種異形カラー順番色バーコード図の、ボタン色
54    キ〜始まる特許番号文書図を紹介する組み合わせ異種異形カラー順番色バーコード図の、水色
55    ク〜始まる特許番号文書図を紹介する組み合わせ異種異形カラー順番色バーコード図の、クリームイエロー色
56    ケ〜始まる特許番号文書図を紹介する組み合わせ異種異形カラー順番色バーコード図の、ラベンダー色
57    コ〜始まる特許番号文書図を紹介する組み合わせ異種異形カラー順番色バーコード図の、白色
58    サ〜始まる特許番号文書図を紹介する組み合わせ異種異形カラー順番色バーコード図の、コーラルレット色
59    シ〜始まる特許番号文書図を紹介する組み合わせ異種異形カラー順番色バーコード図の、アザーブルー色
60    ス〜始まる特許番号文書図を紹介する組み合わせ異種異形カラー順番色バーコード図の、マシコット色
61    セ〜始まる特許番号文書図を紹介する組み合わせ異種異形カラー順番色バーコード図の、リンドウ色
62    ソ〜始まる特許番号文書図を紹介する組み合わせ異種異形カラー順番色バーコード図の、エンパク色
63    タ〜始まる特許番号文書図を紹介する組み合わせ異種異形カラー順番色バーコード図の、マジェンタ色
64    チ〜始まる特許番号文書図を紹介する組み合わせ異種異形カラー順番色バーコード図の、カメノゾキ色
65    ツ〜始まる特許番号文書図を紹介する組み合わせ異種異形カラー順番色バーコード図の、卵色
66    テ〜始まる特許番号文書図を紹介する組み合わせ異種異形カラー順番色バーコード図の、フジムラサキ色
67    ト〜始まる特許番号文書図を紹介する組み合わせ異種異形カラー順番色バーコード図の、キナリ色
68    ナ〜始まる特許番号文書図を紹介する組み合わせ異種異形カラー順番色バーコード図の、バラ色
69    ニ〜始まる特許番号文書図を紹介する組み合わせ異種異形カラー順番色バーコード図の、ワスレナグサ色
70    ヌ〜始まる特許番号文書図を紹介する組み合わせ異種異形カラー順番色バーコード図の、シャンパン色
71    ネ〜始まる特許番号文書図を紹介する組み合わせ異種異形カラー順番色バーコード図の、キキョウ色
72    ノ〜始まる特許番号文書図を紹介する組み合わせ異種異形カラー順番色バーコード図の、カイハクショク色
73    ハ〜始まる特許番号文書図を紹介する組み合わせ異種異形カラー順番色バーコード図の、ローズ色
74    ヒ〜始まる特許番号文書図を紹介する組み合わせ異種異形カラー順番色バーコード図の、アザーブルー色
75    フ〜始まる特許番号文書図を紹介する組み合わせ異種異形カラー順番色バーコード図の、ジャスミン色
76    ヘ〜始まる特許番号文書図を紹介する組み合わせ異種異形カラー順番色バーコード図の、バァイオレット色
77    ホ〜始まる特許番号文書図を紹介する組み合わせ異種異形カラー順番色バーコード図の、ウノハナ色
78    マ〜始まる特許番号文書図を紹介する組み合わせ異種異形カラー順番色バーコード図の、コチニールレット色
79    ミ〜始まる特許番号文書図を紹介する組み合わせ異種異形カラー順番色バーコード図の、セレスト色
80    ム〜始まる特許番号文書図を紹介する組み合わせ異種異形カラー順番色バーコード図の、ミモザ色
81    メ〜始まる特許番号文書図を紹介する組み合わせ異種異形カラー順番色バーコード図の、パンジー色
82    モ〜始まる特許番号文書図を紹介する組み合わせ異種異形カラー順番色バーコード図の、パールホワイト色
83    ヤ〜始まる特許番号文書図を紹介する組み合わせ異種異形カラー順番色バーコード図の、クレナイ色
84    ユ〜始まる特許番号文書図を紹介する組み合わせ異種異形カラー順番色バーコード図の、ネープルスイエロー色
85    ヨ〜始まる特許番号文書図を紹介する組み合わせ異種異形カラー順番色バーコード図の、スナ色
86    ラ〜始まる特許番号文書図を紹介する組み合わせ異種異形カラー順番色バーコード図の、カーマイン色
87    リ〜始まる特許番号文書図を紹介する組み合わせ異種異形カラー順番色バーコード図の、ミズアサギ色
88    ル〜始まる特許番号文書図を紹介する組み合わせ異種異形カラー順番色バーコード図の、クチナシ色
89    レ〜始まる特許番号文書図を紹介する組み合わせ異種異形カラー順番色バーコード図の、パープル色
90    ロ〜始まる特許番号文書図を紹介する組み合わせ異種異形カラー順番色バーコード図の、フォッグ色
91    ワ〜始まる特許番号文書図を紹介する組み合わせ異種異形カラー順番色バーコード図の、トマトレット色
92    ガ〜始まる特許番号文書図を紹介する組み合わせ異種異形カラー順番色バーコード図の、シグナルレット色
93    ギ〜始まる特許番号文書図を紹介する組み合わせ異種異形カラー順番色バーコード図の、チグサ色
94    グ〜始まる特許番号文書図を紹介する組み合わせ異種異形カラー順番色バーコード図の、ナノハナ色
95    ゲ〜始まる特許番号文書図を紹介する組み合わせ異種異形カラー順番色バーコード図の、コダイムラサキ色
96    ゴ〜始まる特許番号文書図を紹介する組み合わせ異種異形カラー順番色バーコード図の、シルバァーホワイト色
97    ザ〜始まる特許番号文書図を紹介する組み合わせ異種異形カラー順番色バーコード図の、スカーレット色
98    ジ〜始まる特許番号文書図を紹介する組み合わせ異種異形カラー順番色バーコード図の、シンバシ色
99    ズ〜始まる特許番号文書図を紹介する組み合わせ異種異形カラー順番色バーコード図の、カナリア色
100    ゼ〜始まる特許番号文書図を紹介する組み合わせ異種異形カラー順番色バーコード図の、ローヤルパープル色
101    ゾ〜始まる特許番号文書図を紹介する組み合わせ異種異形カラー順番色バーコード図の、スカイグレイ色
102    ダ〜始まる特許番号文書図を紹介する組み合わせ異種異形カラー順番色バーコード図の、ファイアレッド色
103    ヂ〜始まる特許番号文書図を紹介する組み合わせ異種異形カラー順番色バーコード図の、オールドブルー色
104    ヅ〜始まる特許番号文書図を紹介する組み合わせ異種異形カラー順番色バーコード図の、カリヤス色
105    デ〜始まる特許番号文書図を紹介する組み合わせ異種異形カラー順番色バーコード図の、ピアニー色
106    ド〜始まる特許番号文書図を紹介する組み合わせ異種異形カラー順番色バーコード図の、シルヴァーグレイ色
107    バ〜始まる特許番号文書図を紹介する組み合わせ異種異形カラー順番色バーコード図の、ベニヒ色
108    ビ〜始まる特許番号文書図を紹介する組み合わせ異種異形カラー順番色バーコード図の、アクアマリン色
109    ブ〜始まる特許番号文書図を紹介する組み合わせ異種異形カラー順番色バーコード図の、シャルトルーズイエロー色
110    ベ〜始まる特許番号文書図を紹介する組み合わせ異種異形カラー順番色バーコード図の、アメシスト色
111    ボ〜始まる特許番号文書図を紹介する組み合わせ異種異形カラー順番色バーコード図の、アッシュグレイ色
112    パ〜始まる特許番号文書図を紹介する組み合わせ異種異形カラー順番色バーコード図の、ニ色
113    ピ〜始まる特許番号文書図を紹介する組み合わせ異種異形カラー順番色バーコード図の、ナイルブルー色
114    プ〜始まる特許番号文書図を紹介する組み合わせ異種異形カラー順番色バーコード図の、サルファーイエロー色
115    ペ〜始まる特許番号文書図を紹介する組み合わせ異種異形カラー順番色バーコード図の、フタアイ色
116    ポ〜始まる特許番号文書図を紹介する組み合わせ異種異形カラー順番色バーコード図の、フシ色
117    ン〜始まる特許番号文書図を紹介する組み合わせ異種異形カラー順番色バーコード図の、キン色
118    海魚イメージ異種異形カラーバーコード図
119    海養殖魚イメージ異種異形カラーバーコード図
120    陸地中海養殖魚イメージ異種異形カラーバーコード図
121    川魚イメージ異種異形カラーバーコード図
122    湖魚イメージ異種異形カラーバーコード図
123    川養殖魚イメージ異種異形カラーバーコード図
124    海水透水光度数データーイメージ異種異形カラーバーコード図
125    魚の成育温度データーイメージ異種異形カラーバーコード図
126    魚を取った方法イメージ異種異形カラーバーコード図
127    魚の捕れた海上GPS地図位置年月日時間イメージ異種異形カラーバーコード図
128    魚の内臓物検査データーイメージ異種異形カラーバーコード図
129    全自動波計測データーイメージ異種異形カラーバーコード図
130魚の捕れた時間データーイメージ異種異形カラーバーコード図
131海水のバクテリア全自動計数値データーイメージ異種異形カラーバーコード図
132魚の種類データーイメージ異種異形カラーバーコード図
133海上地震磁波データーイメージ異種異形カラーバーコード図
134海水の放射線度数データーイメージ異種異形カラーバーコード図
135鹿肉イメージ異種異形カラーバーコード図
136猪肉イメージ異種異形カラーバーコード図
137熊肉イメージ異種異形カラーバーコード図
138豚肉イメージ異種異形カラーバーコード図
139山羊肉イメージ異種異形カラーバーコード図
140羊肉イメージ異種異形カラーバーコード図
141兎肉イメージ異種異形カラーバーコード図
142牛肉イメージ異種異形カラーバーコード図
143鶏肉イメージ異種異形カラーバーコード図
144鴨肉イメージ異種異形カラーバーコード図
145雉肉イメージ異種異形カラーバーコード図
146蛇肉イメージ異種異形カラーバーコード図
147馬肉イメージ異種異形カラーバーコード図
148肉の捕れた地方場所年月日データーイメージ異種異形カラーバーコード図
149肉の成分データーイメージ異種異形カラーバーコード図
150生肉の細菌温度繁殖時間データーイメージ異種異形カラーバーコード図
151調理温度時間データーイメージ異種異形カラーバーコード図
152種の保存状況データーイメージ異種異形カラーバーコード図
153調理方法データーイメージ異種異形カラーバーコード図
154肉の種類データーイメージ異種異形カラーバーコード図
155肉の保存状態温度管理データーイメージ異種異形カラーバーコード図
156畑作野菜イメージ異種異形カラーバーコード図
157ハウス野菜イメージ異種異形カラーバーコード図
158水耕野菜イメージ異種異形カラーバーコード図
159山菜野菜イメージ異種異形カラーバーコード図
160川野菜イメージ異種異形カラーバーコード図
161果物イメージ異種異形カラーバーコード図
162水田沼野菜イメージ異種異形カラーバーコード図
163海岸野菜イメージ異種異形カラーバーコード図
164バイオ養殖野菜イメージ異種異形カラーバーコード図
165海外国野菜イメージ異種異形カラーバーコード図
166薬生野菜イメージ異種異形カラーバーコード図
167海外果物イメージ異種異形カラーバーコード図
168加工食品野菜イメージ異種異形カラーバーコード図
169野菜の捕れた場所年月日GPSデーターイメージ異種異形カラーバーコード図
170生野菜の劣化スピードデーターイメージ異種異形カラーバーコード図
171生野菜薬使用例データーイメージ異種異形カラーバーコード図
172光り成育データーイメージ異種異形カラーバーコード図
173野菜の流通量データーイメージ異種異形カラーバーコード図
174生野菜成分データーイメージ異種異形カラーバーコード図
175野菜の調理方法データーイメージ異種異形カラーバーコード図
176野菜の放射線データーイメージ異種異形カラーバーコード図
177野菜の種類データーイメージ異種異形カラーバーコード図
178別途現時点野菜成分データーイメージ異種異形カラーバーコード図。
179木材板イメージ異種異形カラーバーコード図
180海外木材板イメージ異種異形カラーバーコード図
181日本合板イメージ異種異形カラーバーコード図
182海外合板イメージ異種異形カラーバーコード図
183乾燥剤入り木材板イメージ異種異形カラーバーコード図
184乾燥剤入り木材柱イメージ異種異形カラーバーコード図
185防虫剤入り木材板イメージ異種異形カラーバーコード図
186防虫剤入り木材柱イメージ異種異形カラーバーコード図
187合成木材イメージ異種異形カラーバーコード図
188防腐剤入り木材イメージ異種異形カラーバーコード図
189木材の生産国種類年月日データーイメージ異種異形カラーバーコード図
190木材の害虫データーイメージ異種異形カラーバーコード図
191木材の燃えるスピードデーターイメージ異種異形カラーバーコード図
192木材の耐久度データーイメージ異種異形カラーバーコード図
193木材の薬剤使用全データーイメージ異種異形カラーバーコード図
194木材の再利用回数データーイメージ異種異形カラーバーコード図
195木材の処理方法データー炭利用イメージ異種異形カラーバーコード図
196木材の使用限界年数データーイメージ異種異形カラーバーコード図
197木材の重さ乾燥度データーイメージ異種異形カラーバーコード図
198木材過去使用例データーイメージ異種異形カラーバーコード図
199燃えない木材データーイメージ異種異形カラーバーコード図
200レンガパネルイメージ異種異形カラーバーコード図
201陶器パネルイメージ異種異形カラーバーコード図
202軽量レンガパネルイメージ異種異形カラーバーコード図
203軽量陶器パネルイメージ異種異形カラーバーコード図
204石レンガパネルイメージ異種異形カラーバーコード図
205金属彫り型レンガパネルイメージ異種異形カラーバーコード図
206ボルト留型レンガパネルイメージ異種異形カラーバーコード図
207軽量多色重ね焼き陶器パネルイメージ異種異形カラーバーコード図
208反射板填め込み型軽量レンガパネルイメージ異種異形カラーバーコード図
209水吹き出し装置付軽量レンガパネルイメージ異種異形カラーバーコード図
210鉄筋入りレンガパネルイメージ異種異形カラーバーコード図
211免震用填め込み型軽量レンガパネルイメージ異種異形カラーバーコード図
212海外レンガパネルイメージ異種異形カラーバーコード図
213軽量レンガの作り方年月日作成場所作成者データーイメージ異種異形カラーバーコード図
214軽量陶器の作り方年月日作成場所作成者データーイメージ異種異形カラーバーコード図
215粘土材の採取した場所データーイメージ異種異形カラーバーコード図
216レンガ陶器の種類データーイメージ異種異形カラーバーコード図
217レンガ陶器の歴史使われ方データーイメージ異種異形カラーバーコード図
218農業分野製品データーイメージ異種異形カラーバーコード図
219土水分計データーのイメージ異種異形カラーバーコード図
220土質データーのイメージ異種異形カラーバーコード図
221市町村番号のイメージ異種異形カラーバーコード図
222全自動計測地温計データーのイメージ異種異形カラーバーコード図
223肥料分類データーのイメージ異種異形カラーバーコード図
224収穫時期データーのイメージ異種異形カラーバーコード図
225植物分布図データーのイメージ異種異形カラーバーコード図
226人力と機械種類データーのイメージ異種異形カラーバーコード図
227水耕栽培野外栽培の区別データーのイメージ異種異形カラーバーコード図
228四十七都道府県番号データーのイメージ異種異形カラーバーコード図
229放射線量データーのイメージ異種異形カラーバーコード図
230国名データーのイメージ異種異形カラーバーコード図
231商品部材料金説明データーのイメージ異種異形カラーバーコード図
232世界国々の特許権番号データーのイメージ異種異形カラーバーコード図
233審査請求審査結果番号データーのイメージ異種異形カラーバーコード図
234商品登録番号データーのイメージ異種異形カラーバーコード図
235国際特許番号のデーターのイメージ異種異形カラーバーコード図
236カラー異種異形バーコード被写体見本図
237大レンズ
238高出力CCDパネル
239突レンズ
240被写体カラー異種異形バーコード確認認識全自動作動インターネット接続回路装置
241通常カメラ
242スイッチ   (スイッチ回路)
【図１】
2013178853.tif 000003
【図２】
2013178853.tif 000004
【図３】
2013178853.tif 000005
【図４】
2013178853.tif 000006
【図５】
2013178853.tif 000007
【図６】
2013178853.tif 000008
【図７】
2013178853.tif 000009
【図８】
2013178853.tif 000010
【図９】
2013178853.tif 000011
【図１０】
2013178853.tif 000012
【図１１】
2013178853.tif 000013
【図１２】
2013178853.tif 000014
【図１３】
2013178853.tif 000015
【図１４】
2013178853.tif 000016
【図１５】
2013178853.tif 000017
【図１６】
2013178853.tif 000018
【図１７】
2013178853.tif 000019
【図１８】
2013178853.tif 000020
【図１９】
2013178853.tif 000021
【図２０】
2013178853.tif 000022
【図２１】
2013178853.tif 000023
【図２２】
2013178853.tif 000024
【図２３】
2013178853.tif 000025
【図２４】
2013178853.tif 000026
【図２５】
2013178853.tif 000027
【図２６】
2013178853.tif 000028
【図２７】
2013178853.tif 000029
【図２８】
2013178853.tif 000030
【図２９】
2013178853.tif 000031
【図３０】
2013178853.tif 000032
【図３１】
2013178853.tif 000033
【図３２】
2013178853.tif 000034
【図３３】
2013178853.tif 000035
【図３４】
2013178853.tif 000036
【図３５】
2013178853.tif 000037
【図３６】
2013178853.tif 000038
【図３７】
2013178853.tif 000039
【図３８】
2013178853.tif 000040
【図３９】
2013178853.tif 000041
【図４０】
2013178853.tif 000042
【図４１】
2013178853.tif 000043
【図４２】
2013178853.tif 000044
【図４３】
2013178853.tif 000045
【図４４】
2013178853.tif 000046
【図４５】
2013178853.tif 000047
【図４６】
2013178853.tif 000048
【図４７】
2013178853.tif 000049
【図４８】
2013178853.tif 000050
【図４９】
2013178853.tif 000051
【図５０】
2013178853.tif 000052
【図５１】
2013178853.tif 000053
【図５２】
2013178853.tif 000054
【図５３】
2013178853.tif 000055
【図５４】
2013178853.tif 000056
【図５５】
2013178853.tif 000057
【図５６】
2013178853.tif 000058
【図５７】
2013178853.tif 000059
【図５８】
2013178853.tif 000060
【図５９】
2013178853.tif 000061
【図６０】
2013178853.tif 000062
【図６１】
2013178853.tif 000063
【図６２】
2013178853.tif 000064
【図６３】
2013178853.tif 000065
【図６４】
2013178853.tif 000066
【図６５】
2013178853.tif 000067
【図６６】
2013178853.tif 000068
【図６７】
2013178853.tif 000069
【図６８】
2013178853.tif 000070
【図６９】
2013178853.tif 000071
【図７０】
2013178853.tif 000072
【図７１】
2013178853.tif 000073
【図７２】
2013178853.tif 000074
【図７３】
2013178853.tif 000075
【図７４】
2013178853.tif 000076
【図７５】
2013178853.tif 000077
【図７６】
2013178853.tif 000078
【図７７】
2013178853.tif 000079
【図７８】
2013178853.tif 000080
【図７９】
2013178853.tif 000081
【図８０】
2013178853.tif 000082
【図８１】
2013178853.tif 000083
【図８２】
2013178853.tif 000084
【図８３】
2013178853.tif 000085
【図８４】
2013178853.tif 000086
【図８５】
2013178853.tif 000087
【図８６】
2013178853.tif 000088
【図８７】
2013178853.tif 000089
【図８８】
2013178853.tif 000090
【図８９】
2013178853.tif 000091
【図９０】
2013178853.tif 000092
【図９１】
2013178853.tif 000093
【図９２】
2013178853.tif 000094
【図９３】
2013178853.tif 000095
【図９４】
2013178853.tif 000096
【図９５】
2013178853.tif 000097
【図９６】
2013178853.tif 000098
【図９７】
2013178853.tif 000099
【図９８】
2013178853.tif 000100
【図９９】
2013178853.tif 000101
【図１００】
2013178853.tif 000102
【図１０１】
2013178853.tif 000103
【図１０２】
2013178853.tif 000104
【図１０３】
2013178853.tif 000105
【図１０４】
2013178853.tif 000106
【図１０５】
2013178853.tif 000107
【図１０６】
2013178853.tif 000108
【図１０７】
2013178853.tif 000109
【図１０８】
2013178853.tif 000110
【図１０９】
2013178853.tif 000111
【図１１０】
2013178853.tif 000112
【図１１１】
2013178853.tif 000113
【図１１２】
2013178853.tif 000114
【図１１３】
2013178853.tif 000115
【図１１４】
2013178853.tif 000116
【図１１５】
2013178853.tif 000117
【図１１６】
2013178853.tif 000118
【図１１７】
2013178853.tif 000119
【図１１８】
2013178853.tif 000120
【図１１９】
2013178853.tif 000121
【図１２０】
2013178853.tif 000122
【図１２１】
2013178853.tif 000123
【図１２２】
2013178853.tif 000124
【図１２３】
2013178853.tif 000125
【図１２４】
2013178853.tif 000126
【図１２５】
2013178853.tif 000127
【図１２６】
2013178853.tif 000128
【図１２７】
2013178853.tif 000129
【図１２８】
2013178853.tif 000130
【図１２９】
2013178853.tif 000131
【図１３０】
2013178853.tif 000132
【図１３１】
2013178853.tif 000133
【図１３２】
2013178853.tif 000134
【図１３３】
2013178853.tif 000135
【図１３４】
2013178853.tif 000136
【図１３５】
2013178853.tif 000137
【図１３６】
2013178853.tif 000138
【図１３７】
2013178853.tif 000139
【図１３８】
2013178853.tif 000140
【図１３９】
2013178853.tif 000141
【図１４０】
2013178853.tif 000142
【図１４１】
2013178853.tif 000143
【図１４２】
2013178853.tif 000144
【図１４３】
2013178853.tif 000145
【図１４４】
2013178853.tif 000146
【図１４５】
2013178853.tif 000147